(57)【特許請求の範囲】
【請求項１】
画像データが符号化された符号化データを復号することにより、復号データを生成する復号部と、
前記符号化データの予測ユニットまたは符号化ユニットのサイズ毎の数と位置を示す情報に基づいて、前記復号部により生成された前記復号データに対して前記予測ユニットまたは前記符号化ユニットのサイズ毎に独立に動き補償を行って予測画像を生成するインター予測部と
を備える画像復号装置。
【請求項２】
変換ユニットのサイズ毎の数と位置を示す情報に基づいて、量子化された前記復号データを前記変換ユニットのサイズ毎に独立に逆量子化する逆量子化部をさらに備える
請求項１に記載の画像復号装置。
【請求項３】
変換ユニットのサイズ毎の数と位置を示す情報に基づいて、直交変換された前記復号データを前記変換ユニットのサイズ毎に独立に逆直交変換する逆直交変換部をさらに備える
請求項１に記載の画像復号装置。
【請求項４】
前記インター予測部は、前記動き補償を行って前記予測画像を生成する処理を、前記予測ユニットまたは前記符号化ユニットのサイズ毎に、互いに並列に行う
請求項１に記載の画像復号装置。
【請求項５】
前記符号化データのブロック構造を解析する解析部をさらに備え、
前記インター予測部は、前記解析部による前記ブロック構造の解析結果に基づいて、前記予測ユニットまたは前記符号化ユニットのサイズ毎に独立に前記動き補償を行って前記予測画像を生成する
請求項１に記載の画像復号装置。
【請求項６】
前記解析部は、前記符号化データの符号化ユニットについて、サイズ毎に発生数と発生位置とを求める
請求項５に記載の画像復号装置。
【請求項７】
前記解析部は、前記符号化データの変換ユニットについて、サイズ毎に発生数と発生位置とを求める
請求項５に記載の画像復号装置。
【請求項８】
前記解析部は、前記符号化データの予測ユニットについて、サイズ毎に発生数と発生位置とを求める
請求項５に記載の画像復号装置。
【請求項９】
前記予測ユニットまたは前記符号化ユニットのサイズ毎の処理負荷量に応じて、前記動き補償を行って前記予測画像を生成する処理の並列化を制御する並列制御部をさらに備える
請求項１に記載の画像復号装置。
【請求項１０】
前記並列制御部は、負荷量ができるだけ均等になるように、前記動き補償を行って前記予測画像を生成する処理を並列化させる
請求項９に記載の画像復号装置。
【請求項１１】
前記並列制御部は、環境に基づいて前記予測ユニットまたは前記符号化ユニットのサイズ毎の処理負荷量を求める
請求項９に記載の画像復号装置。
【請求項１２】
画像データが符号化された符号化データを復号することにより、復号データを生成し、
前記符号化データの予測ユニットまたは符号化ユニットのサイズ毎の数と位置を示す情報に基づいて、生成された前記復号データに対して前記予測ユニットまたは前記符号化ユニットのサイズ毎に独立に動き補償を行って予測画像を生成する
画像復号方法。
【発明の詳細な説明】
【技術分野】
【０００１】
本開示は、画像復号装置および方法に関し、特に、より効率よく復号処理を行うことができるようにした画像復号装置および方法に関する。
【背景技術】
【０００２】
動画像符号化効率の向上を目的として、HEVC（High Efficiency Video Coding）と呼ばれる符号化方式の標準化が進められておりバージョン１（version 1）の策定は既に完了している（例えば、非特許文献１参照）。【０００３】
HEVCでは、ブロックサイズの多様化・細分化が進んでおり、AVCに比べて、符号化のブロック（Coding Block）のサイズ数が4倍になっており、予測処理のブロックのサイズ数が約4倍になっており、予測差分信号処理ブロックのサイズ数が2倍になっている。
【先行技術文献】
【非特許文献】
【０００４】
【非特許文献１】Benjamin Bross, Gary J. Sullivan, Ye-Kui Wang, "Editors' proposed corrections to HEVC version 1", JCTVC-M0432_v3, 2013/4/25
【発明の概要】
【発明が解決しようとする課題】
【０００５】
しかしながら、ブロックサイズの多様化・細分化は、圧縮性能の向上に大きく寄与するものの、復号処理の処理速度が低減するおそれがあった。【０００６】
本開示は、このような状況に鑑みてなされたものであり、より効率よく復号処理を行うことができるようにするものである。
【課題を解決するための手段】
【０００７】
本技術の一側面は、画像データが符号化された符号化データを復号することにより、復号データを生成する復号部と、前記符号化データの予測ユニットまたは符号化ユニットのサイズ毎の数と位置を示す情報に基づいて、前記復号部により生成された前記復号データに対して前記予測ユニットまたは前記符号化ユニットのサイズ毎に独立に動き補償を行って予測画像を生成するインター予測部とを備える画像復号装置である。
【０００８】
変換ユニットのサイズ毎の数と位置を示す情報に基づいて、量子化された前記復号データを前記変換ユニットのサイズ毎に独立に逆量子化する逆量子化部をさらに備えることができる。
【００１０】
変換ユニットのサイズ毎の数と位置を示す情報に基づいて、直交変換された前記復号データを前記変換ユニットのサイズ毎に独立に逆直交変換する逆直交変換部をさらに備えることができる。
【００１５】
前記インター予測部は、前記動き補償を行って前記予測画像を生成する処理を、前記予測ユニットまたは前記符号化ユニットのサイズ毎に、互いに並列に行うことができる。
【００１６】
前記符号化データのブロック構造を解析する解析部をさらに備え、前記インター予測部は、前記解析部による前記ブロック構造の解析結果に基づいて、前記予測ユニットまたは前記符号化ユニットのサイズ毎に独立に前記動き補償を行って前記予測画像を生成することができる。
【００１７】
前記解析部は、前記符号化データの符号化ユニットについて、サイズ毎に発生数と発生位置とを求めることができる。【００１８】
前記解析部は、前記符号化データの変換ユニットについて、サイズ毎に発生数と発生位置とを求めることができる。【００１９】
前記解析部は、前記符号化データの予測ユニットについて、サイズ毎に発生数と発生位置とを求めることができる。【００２０】
前記予測ユニットまたは前記符号化ユニットのサイズ毎の処理負荷量に応じて、前記動き補償を行って前記予測画像を生成する処理の並列化を制御する並列制御部をさらに備えることができる。
【００２１】
前記並列制御部は、負荷量ができるだけ均等になるように、前記動き補償を行って前記予測画像を生成する処理を並列化させることができる。
【００２２】
前記並列制御部は、環境に基づいて前記予測ユニットまたは前記符号化ユニットのサイズ毎の処理負荷量を求めることができる。
【００２４】
本技術の一側面は、また、画像データが符号化された符号化データを復号することにより、復号データを生成し、前記符号化データの予測ユニットまたは符号化ユニットのサイズ毎の数と位置を示す情報に基づいて、生成された前記復号データに対して前記予測ユニットまたは前記符号化ユニットのサイズ毎に独立に動き補償を行って予測画像を生成する画像復号方法である。
【００２５】
本技術の一側面においては、画像データが符号化された符号化データを復号することにより、復号データが生成され、符号化データの予測ユニットまたは符号化ユニットのサイズ毎の数と位置を示す情報に基づいて、生成された復号データに対して予測ユニットまたは符号化ユニットのサイズ毎に独立に動き補償が行われて予測画像が生成される。
【発明の効果】
【００２６】
本開示によれば、画像データが符号化された符号化データを復号することができる。特に、より効率よく復号処理を行うことができる。
【図面の簡単な説明】
【００２７】
【図１】ブロックサイズを比較する図である。
【図２】逆直交変換処理の流れの例を説明するフローチャートである。
【図３】復号処理の並列化の様子の例を示す図である。
【図４】画像復号装置の主な構成例を示すブロック図である。
【図５】ブロック解析部の主な構成例を示すブロック図である。
【図６】ブロック構造解析の様子の例を示す図である。
【図７】復号処理の流れの例を説明するフローチャートである。
【図８】ブロック解析処理の流れの例を説明するフローチャートである。
【図９】逆量子化処理の流れの例を説明するフローチャートである。
【図１０】逆量子化処理の流れの例を説明する、図９に続くフローチャートである。
【図１１】逆直交変換処理の流れの例を説明するフローチャートである。
【図１２】逆直交変換処理の流れの例を説明する、図１１に続くフローチャートである。
【図１３】インター予測処理の流れの例を説明するフローチャートである。
【図１４】画像復号装置の主な構成例を示すブロック図である。
【図１５】復号処理の流れの例を説明するフローチャートである。
【図１６】多視点画像符号化方式の例を示す図である。
【図１７】本技術を適用した多視点画像符号化装置の主な構成例を示す図である。
【図１８】本技術を適用した多視点画像復号装置の主な構成例を示す図である。
【図１９】階層画像符号化方式の例を示す図である。
【図２０】スペーシャルなスケーラブル符号化の例を説明する図である。
【図２１】テンポラルなスケーラブル符号化の例を説明する図である。
【図２２】信号雑音比のスケーラブル符号化の例を説明する図である。
【図２３】本技術を適用した階層画像符号化装置の主な構成例を示す図である。
【図２４】本技術を適用した階層画像復号装置の主な構成例を示す図である。
【図２５】コンピュータの主な構成例を示すブロック図である。
【図２６】テレビジョン装置の概略的な構成の一例を示すブロック図である。
【図２７】携帯電話機の概略的な構成の一例を示すブロック図である。
【図２８】記録再生装置の概略的な構成の一例を示すブロック図である。
【図２９】撮像装置の概略的な構成の一例を示すブロック図である。
【図３０】ビデオセットの概略的な構成の一例を示すブロック図である。
【図３１】ビデオプロセッサの概略的な構成の一例を示すブロック図である。
【図３２】ビデオプロセッサの概略的な構成の他の例を示すブロック図である。
【発明を実施するための形態】
【００２８】
以下、本開示を実施するための形態（以下実施の形態とする）について説明する。なお、説明は以下の順序で行う。
１．第１の実施の形態（画像復号装置）
２．第２の実施の形態（画像復号装置）
３．第３の実施の形態（多視点画像復号装置）
４．第４の実施の形態（階層画像復号装置）
５．第５の実施の形態（コンピュータ）
６．第６の実施の形態（応用例）
７．第７の実施の形態（セット・ユニット・モジュール・プロセッサ）
【００２９】
＜１．第１の実施の形態＞
＜画像符号化の標準化の流れ＞
近年、画像情報をデジタルとして取り扱い、その際、効率の高い情報の伝送、蓄積を目的とし、画像情報特有の冗長性を利用して、離散コサイン変換等の直交変換と動き補償により圧縮する符号化方式を採用して画像を圧縮符号する装置が普及しつつある。この符号化方式には、例えば、MPEG（Moving Picture Experts Group）などがある。
【００３０】
特に、MPEG2(ISO/IEC 13818-2)は、汎用画像符号化方式として定義されており、飛び越し走査画像及び順次走査画像の双方、並びに標準解像度画像及び高精細画像を網羅する標準である。例えば、MPEG2は、プロフェッショナル用途及びコンシューマ用途の広範なアプリケーションに現在広く用いられている。MPEG2圧縮方式を用いることにより、例えば720x480画素を持つ標準解像度の飛び越し走査画像であれば4乃至8Mbpsの符号量（ビットレート）を割り当てることができる。また、MPEG2圧縮方式を用いることにより、例えば1920x1088画素を持つ高解像度の飛び越し走査画像であれば18乃至22 Mbpsの符号量（ビットレート）を割り当てることができる。これにより、高い圧縮率と良好な画質の実現が可能である。
【００３１】
MPEG2は主として放送用に適合する高画質符号化を対象としていたが、MPEG1より低い符号量（ビットレート）、つまりより高い圧縮率の符号化方式には対応していなかった。携帯端末の普及により、今後そのような符号化方式のニーズは高まると思われ、これに対応してMPEG4符号化方式の標準化が行われた。画像符号化方式に関しては、1998年12月にISO/IEC 14496-2としてその規格が国際標準に承認された。
【００３２】
更に、近年、当初テレビ会議用の画像符号化を目的として、H.26L （ITU-T（International Telecommunication Union Telecommunication Standardization Sector） Q6/16 VCEG（Video Coding Expert Group））という標準の規格化が進められた。H.26LはMPEG2やMPEG4といった従来の符号化方式に比べ、その符号化、復号化により多くの演算量が要求されるものの、より高い符号化効率が実現されることが知られている。また、現在、MPEG4の活動の一環として、このH.26Lをベースに、H.26Lではサポートされない機能をも取り入れ、より高い符号化効率を実現する標準化がJoint Model of Enhanced-Compression Video Codingとして行われた。
【００３３】
標準化のスケジュールとしては、２００３年３月にはH.264及びMPEG-4 Part10 （Advanced Video Coding、以下AVCと記す）という名の元に国際標準となった。
【００３４】
さらに、このH．264/AVCの拡張として、RGBや4:2:2、4:4:4といった、業務用に必要な符号化ツールや、MPEG-2で規定されていた8x8DCTや量子化マトリクスをも含んだFRExt (Fidelity Range Extension) の標準化が２００５年２月に完了した。これにより、H．264/AVCを用いて、映画に含まれるフィルムノイズをも良好に表現することが可能な符号化方式となって、Blu-Ray Disc（商標）等の幅広いアプリケーションに用いられる運びとなった。
【００３５】
しかしながら、昨今、ハイビジョン画像の4倍の、4000x2000画素程度の画像を圧縮したい、あるいは、インターネットのような、限られた伝送容量の環境において、ハイビジョン画像を配信したいといった、更なる高圧縮率符号化に対するニーズが高まっている。このため、先述の、ITU-T傘下のVCEGにおいて、符号化効率の改善に関する検討が継続され行なわれている。
【００３６】
そこで、現在、AVCより更なる符号化効率の向上を目的として、ITU-Tと、ISO/IEC（International Organization for Standardization / International Electrotechnical Commission）の共同の標準化団体であるJCTVC（Joint Collaboration Team - Video Coding）により、HEVC（High Efficiency Video Coding）と呼ばれる符号化方式の標準化が進められており、バージョン１（version 1）の策定は既に完了している（例えば、非特許文献１参照）。
【００３７】
＜ブロックサイズと処理速度＞
HEVCは、MPEG-2 (H.262) 比で約4倍、H.264/AVCとの比較でも約2倍の圧縮性能を有する。この圧縮性能に大きく貢献しているのが、ブロックサイズの多様化・細分化である。図１は、ブロックサイズをAVCとHEVCとで比較した図である。図１に示されるように、HEVCはAVCに比べて、コーディングブロック（Coding Block）のサイズ数が4倍に、予測処理ブロック（MC Block）のサイズ数が約4倍に、予測差分信号処理ブロック（DCT Block）のサイズ数が2倍になっている。
【００３８】
ブロックサイズの多様化・細分化は、圧縮性能の向上に大きく寄与するが、復号処理における、逆量子化、逆直交変換、動き補償等の画素復元（PixelReconstruction）処理の処理速度の低下を招くおそれがあった。
【００３９】
このように処理速度が低減する主な要因として、例えば、以下のようなことが考えられる。
１．ブロックサイズ毎に処理を逐次分岐する必要があり、分岐のオーバーヘッドが大きくなる。特に、分岐を苦手とするプロセッサの場合、このオーバーヘッドが無視できなくなる。
２．ブロックサイズ毎に呼び出す処理メソッドのロードのオーバーヘッド。通常処理メソッドはプロセッサのキャッシュにロードされ、実際の処理はそのキャッシュを通じて行われるが、キャッシュのサイズが十分にない場合、処理メソッドは逐次消去されてしまう。例えば、処理するブロックサイズが頻繁に切り替わる場合に、処理メソッドが逐次ロード、消去されてしまうとそのオーバーヘッドが無視できなくなる可能性がある。
３．並列処理において処理の並列化が十分に行われないため、一部のプロセッサがアイドリング状態になる。
【００４０】
逆直交変換処理（IDCT）は、例えば、図２に示されるフローチャートのステップＳ１１乃至ステップＳ２１のように行われる。逆量子化（IQ）の場合も同様である。ステップＳ１４乃至ステップＳ１７のように、CTU（Coding tree Unit）内部でTU（Transform Unit）の数をループカウンタとして、TUブロックサイズ毎に都度処理を分岐しており、TUブロックサイズ毎の処理を呼ぶ単位が細かい。そのため、同一処理を高速に計算可能で、分岐を苦手とするプロセッサ（GPU（Graphics Processing Unit）やFPGA（Field Programmable Gate Array）など）において大きくパフォーマンスを低下させるおそれがあった。
【００４１】
また、分岐が得意なプロセッサであっても、ブロックサイズ毎に呼び出す処理メソッドのロードのオーバーヘッドが大きくなる可能性がある。特に、命令キャッシュ（Instruction Cache）と称する処理メソッド(プログラム) を一時的に保管する領域が小さい場合、キャッシュのストア、ロードが頻繁に行われる可能性があり、さらなるパフォーマンスの低下をもたらすおそれがあった。
【００４２】
さらに、並列化の観点でもパフォーマンス低下の懸念がある。近年のプロセッサは、2コア、4コアとマルチコア化が進んでおり、それらのコアになるべく均等に処理を分散することがパフォーマンス向上の鍵となっている。ブロックサイズ毎の処理の速度がほぼ同等であれば、ピクチャ内を単純に均等サイズで並列処理した場合にも並列処理の恩恵は受けられる。しかしながら、逆量子化（IQ）や逆直交変換（IDCT）においては、特にIDCTのパートにおいて、ブロックサイズ毎の処理量が大きく違ってくる。例えば、図３のＡのように、単純にピクチャを等分割して、それぞれを各コアに割り当てると、コア毎にTUのブロックサイズが大きく異なる場合がある。その場合、図３のＢに示されるように、各コアで行われる逆直交変換（IDCT）の処理時間が揃わず、一部のコアが長期間アイドリング状態になってしまうおそれがあった。
【００４３】
＜画像復号装置＞
そこで、画像データが符号化された符号化データを復号することにより、復号データを生成し、符号化データのブロック構造に基づいて、生成された復号データに対してブロックサイズに応じた方法で行われる処理を、ブロックサイズ毎に独立に行うようにする。このようにすることにより、より効率よく復号処理を行うことができる。
【００４４】
図４は、本技術を適用した画像処理装置の一態様である画像復号装置の主な構成例を示すブロック図である。図４に示される画像復号装置１００は、図示せぬ画像符号化装置が画像データをHEVC符号化方式により符号化して生成した符号化データを復号する。
【００４５】
図４に示されるように画像復号装置１００は、蓄積バッファ１１１、可逆復号部１１２、ブロック解析部１１３、逆量子化部１１４、逆直交変換部１１５、演算部１１６、ループフィルタ１１７、および画面並べ替えバッファ１１８を有する。また、画像復号装置１００は、フレームメモリ１１９、イントラ予測部１２０、インター予測部１２１、および予測画像選択部１２２を有する。
【００４６】
蓄積バッファ１１１は、符号化側から伝送されてきた符号化データを受け取る受け取り部でもある。蓄積バッファ１１１は、その伝送されてきた符号化データを受け取って、蓄積し、所定のタイミングにおいてその符号化データを可逆復号部１１２に供給する。可逆復号部１１２は、蓄積バッファ１１１より供給された符号化データをHEVC方式で復号する。可逆復号部１１２は、復号して得られた量子化された係数データを、ブロック解析部１１３に供給する。
【００４７】
また、可逆復号部１１２は、符号化データに付加された最適な予測モードに関する情報に基づいて、最適な予測モードとしてイントラ予測モードが選択されたかインター予測モードが選択されたかを判定し、その最適な予測モードに関する情報を、イントラ予測部１２０およびインター予測部１２１の内、選択されたと判定したモードの方に供給する。例えば符号化側において最適な予測モードとしてイントラ予測モードが選択された場合、その最適な予測モードに関する情報がイントラ予測部１２０に供給される。また、例えば符号化側において最適な予測モードとしてインター予測モードが選択された場合、その最適な予測モードに関する情報がインター予測部１２１に供給される。
【００４８】
さらに、可逆復号部１１２は、例えば、量子化行列や量子化パラメータ等の、逆量子化に必要な情報を逆量子化部１１４に供給する。
【００４９】
ブロック解析部１１３は、係数データの、符号化ユニット（CU（Coding Unit））、変換ユニット（TU（Transform Unit））、予測ユニット（PU（Prediction Unit））等のブロックの構造を解析する。ブロック解析部１１３は、その解析結果を、例えば、逆量子化部１１４、逆直交変換部１１５、およびインター予測部１２１等、その解析結果を自身が行う処理に利用する処理部に供給する。
【００５０】
また、ブロック解析部１１３は、可逆復号部１１２から供給された量子化された係数データを、逆量子化部１１４に供給する。
【００５１】
逆量子化部１１４は、可逆復号部１１２により復号されて得られた量子化された係数データを、符号化側の量子化方式に対応する方式で逆量子化する。その際、逆量子化部１１４は、TUのブロックサイズに応じた方法で逆量子化する。例えば、逆量子化部１１４は、TUが4x4サイズの場合、量子化された係数データを4x4サイズに応じた方法で逆量子化する。同様に、逆量子化部１１４は、TUが8x8サイズ、16x16サイズ、または32x32サイズのいずれの場合も、4x4サイズの場合と同様に、それぞれのブロックサイズに応じた方法で逆量子化する。
【００５２】
そして、逆量子化部１１４は、逆量子化を、TUのブロックサイズ毎に独立に実行する。例えば、4x4サイズの全TU、8x8サイズの全TU、16x16サイズの全TU、32x32サイズの全TUといったように、各TUをそのブロックサイズ順に逆量子化するようにしてもよい。また、例えば、ブロックサイズ毎にTUをグループ化し、各グループを互いに並列に処理するようにしてもよい。いずれにしても、逆量子化部１１４は、互いに同一のブロックサイズのTUを連続して（まとめて）処理する。
【００５３】
このようにすることにより、同一の方法で連続して逆量子化を行うことができるので、処理の分岐を低減させることができる。また、処理メソッドのロードのオーバヘッドを低減させることができる。したがって、逆量子化部１１４は、より効率よく逆量子化を行うことができる。
【００５４】
このようにブロックサイズ毎の処理を行うために、逆量子化部１１４は、符号化データのブロック構造を参照する。このブロック構造は、各ブロックサイズの発生数と発生位置を含む。逆量子化部１１４は、この各ブロックサイズの発生数と発生位置に基づいて、互いに同一のサイズのTUを収集することにより、ブロックサイズ毎の逆量子化を実現する。なお、このブロック構造の情報は、どこから入手するようにしてもよい。例えば、ブロック解析部１１３から（解析結果として）供給されるようにしてもよい。
【００５５】
逆量子化部１１４は、得られた係数データを逆直交変換部１１５に供給する。
【００５６】
逆直交変換部１１５は、逆量子化部１１４から供給される直交変換係数を、符号化側の直交変換方式に対応する方式で逆直交変換する。その際、逆直交変換部１１５は、TUのブロックサイズに応じた方法で逆直交変換する。例えば、逆直交変換部１１５は、TUが4x4サイズの場合、係数データを4x4サイズに応じた方法で逆直交変換する。同様に、逆直交変換部１１５は、TUが8x8サイズ、16x16サイズ、または32x32サイズのいずれの場合も、4x4サイズの場合と同様に、それぞれのブロックサイズに応じた方法で逆直交変換する。
【００５７】
そして、逆直交変換部１１５は、逆直交変換を、TUのブロックサイズ毎に独立に実行する。例えば、4x4サイズの全TU、8x8サイズの全TU、16x16サイズの全TU、32x32サイズの全TUといったように、各TUをそのブロックサイズ順に逆直交変換するようにしてもよい。また、例えば、ブロックサイズ毎にTUをグループ化し、各グループを互いに並列に処理するようにしてもよい。いずれにしても、逆直交変換部１１５は、互いに同一のブロックサイズのTUを連続して（まとめて）処理する。
【００５８】
このようにすることにより、同一の方法で連続して逆量子化を行うことができるので、処理の分岐を低減させることができる。また、処理メソッドのロードのオーバヘッドを低減させることができる。したがって、逆直交変換部１１５は、より効率よく逆直交変換を行うことができる。
【００５９】
このようにブロックサイズ毎の処理を行うために、逆直交変換部１１５は、符号化データのブロック構造を参照する。このブロック構造は、各ブロックサイズの発生数と発生位置を含む。逆直交変換部１１５は、この各ブロックサイズの発生数と発生位置に基づいて、互いに同一のサイズのTUを収集することにより、ブロックサイズ毎の逆直交変換を実現する。なお、このブロック構造の情報は、どこから入手するようにしてもよい。例えば、ブロック解析部１１３から（解析結果として）供給されるようにしてもよい。
【００６０】
逆直交変換部１１５は、この逆直交変換処理により、符号化側において直交変換される前の状態に対応する残差データを得る。逆直交変換されて得られた残差データは、演算部１１６に供給される。
【００６１】
演算部１１６は、逆直交変換部１１５から残差データを取得する。また、演算部１１６は、予測画像選択部１２２を介して、イントラ予測部１２０若しくはインター予測部１２１から予測画像を取得する。演算部１１６は、差分画像と予測画像とを加算し、符号化側において予測画像が減算される前の画像に対応する再構成画像を得る。演算部１１６は、その再構成画像をループフィルタ１１７およびイントラ予測部１２０に供給する。
【００６２】
ループフィルタ１１７は、供給された再構成画像に対して、デブロックフィルタ処理やSAO処理等を含むループフィルタ処理を適宜施して復号画像を生成する。例えば、ループフィルタ１１７は、再構成画像に対してデブロックフィルタ処理を行うことにより、ブロック歪を除去する。また、例えば、ループフィルタ１１７は、そのデブロックフィルタ処理結果（ブロック歪みの除去が行われた再構成画像）に対して、SAO処理を行うことにより、リンギングの低減や画素値のズレの補正等による画質改善を行う。
【００６３】
なお、ループフィルタ１１７が行うフィルタ処理の種類は任意であり、上述した以外のフィルタ処理を行ってもよい。また、ループフィルタ１１７が、符号化側から供給されたフィルタ係数を用いてフィルタ処理を行うようにしてもよい。
【００６４】
ループフィルタ１１７は、フィルタ処理結果である復号画像を画面並べ替えバッファ１１８およびフレームメモリ１１９に供給する。
【００６５】
画面並べ替えバッファ１１８は、画像の並べ替えを行う。すなわち、符号化側において符号化の順番のために並べ替えられたフレームの順番が、元の表示の順番に並べ替えられる。画面並べ替えバッファ１１８は、フレームの順番を並べ替えた復号画像データを画像復号装置１００の外部に出力する。
【００６６】
フレームメモリ１１９は、供給される復号画像を記憶し、所定のタイミングにおいて、若しくは、インター予測部１２１等の外部の要求に基づいて、記憶している復号画像を参照画像として、インター予測部１２１に供給する。
【００６７】
イントラ予測部１２０には、ヘッダ情報を復号して得られたイントラ予測モードを示す情報等が可逆復号部１１２から適宜供給される。イントラ予測部１２０は、符号化側において用いられたイントラ予測モードで、演算部１１６から供給される再構成画像を参照画像として用いてイントラ予測を行い、予測画像を生成する。イントラ予測部１２０は、生成した予測画像を予測画像選択部１２２に供給する。
【００６８】
インター予測部１２１は、ヘッダ情報を復号して得られた情報（最適予測モード情報、参照画像情報等）を可逆復号部１１２から取得する。
【００６９】
インター予測部１２１は、可逆復号部１１２から取得された最適予測モード情報が示すインター予測モードで、フレームメモリ１１９から取得した参照画像を用いてインター予測（動き補償等）を行い、予測画像を生成する。その際、インター予測部１２１は、PUのブロックサイズに応じた方法でインター予測を行う。例えば、インター予測部１２１は、PUが4x8サイズの場合、4x8サイズに応じた方法でインター予測を行い、予測画像を生成する。PUがその他のサイズの場合も同様である。
【００７０】
そして、インター予測部１２１は、インター予測を、PUのブロックサイズ毎に独立に実行する。例えば、4x8サイズの全PU、8x4サイズの全PU、・・・、64x64サイズの全PUといったように、各PUをそのブロックサイズ順にインター予測し、予測画像を生成するようにしてもよい。また、例えば、ブロックサイズ毎にPUをグループ化し、各グループを互いに並列に処理するようにしてもよい。いずれにしても、インター予測部１２１は、互いに同一のブロックサイズのPUを連続して（まとめて）処理する。
【００７１】
このようにすることにより、同一の方法で連続してインター予測を行うことができるので、処理の分岐を低減させることができる。また、処理メソッドのロードのオーバヘッドを低減させることができる。したがって、インター予測部１２１は、より効率よくインター予測を行うことができる。
【００７２】
このようにブロックサイズ毎の処理を行うために、インター予測部１２１は、符号化データのブロック構造を参照する。このブロック構造は、各ブロックサイズの発生数と発生位置を含む。インター予測部１２１は、この各ブロックサイズの発生数と発生位置に基づいて、互いに同一のサイズのPUを収集することにより、ブロックサイズ毎のインター予測を実現する。なお、このブロック構造の情報は、どこから入手するようにしてもよい。例えば、ブロック解析部１１３から（解析結果として）供給されるようにしてもよい。
【００７３】
なお、インター予測部１２１は、上述したPUの代わりにCUを処理単位としてインター予測を行うようにしてもよい。その場合もインター予測部１２１は、PUの場合と同様に、インター予測を、CUのブロックサイズ毎に独立に実行すればよい。
【００７４】
インター予測部１２１は、生成した予測画像を予測画像選択部１２２に供給する。
【００７５】
予測画像選択部１２２は、イントラ予測部１２０からの予測画像またはインター予測部１２１からの予測画像を、演算部１１６に供給する。そして、演算部１１６においては、動きベクトルが用いられて生成された予測画像と逆直交変換部１１５から供給される残差データとが加算されて元の画像が復号される。すなわち、再構成画像が生成される。
【００７６】
＜ブロック解析部＞
図５は、ブロック解析部１１３の主な構成例を示すブロック図である。図５に示されるように、ブロック解析部１１３は、CU解析部１３１、TU解析部１３２、およびPU解析部１３３を有する。
【００７７】
CU解析部１３１は、係数データをパースして、CUの8x8乃至64x64の4種類のブロックサイズのそれぞれの発生数と発生位置を求め、それを解析結果として他の処理部（例えばインター予測部１２１）に出力する。図６にその解析結果の例を示す。図６に示されるように、サイズ毎に発生数（Num）と位置（Pos(x,y)）が求められる。また、CU解析部１３１は、その解析結果と係数データをTU解析部１３２およびPU解析部１３３にも供給する。
【００７８】
TU解析部１３２は、CUの解析結果に基づいて係数データをパースし、4x4乃至32x32の4種類のブロックサイズのそれぞれの発生数と発生位置を求め、それを解析結果として他の処理部（例えば、逆量子化部１１４および逆直交変換部１１５）に出力する。TUの解析結果も、図６に示したCUの場合と同様である。
【００７９】
PU解析部１３３は、CUの解析結果に基づいて係数データをパースし、4x8/8x4乃至64x64の27種類のブロックサイズのそれぞれの発生数と発生位置を求め、それを解析結果として他の処理部（例えば、インター予測部１２１）に出力する。PUの解析結果も、図６に示したCUの場合と同様である。
【００８０】
＜復号処理の流れ＞
次に、画像復号装置１００により実行される各処理の流れの例を説明する。最初に、復号処理の流れの例を、図７のフローチャートを参照して説明する。
【００８１】
復号処理が開始されると、ステップＳ１０１において、蓄積バッファ１１１は、伝送されてきたビットストリームを蓄積する。ステップＳ１０２において、可逆復号部１１２は、蓄積バッファ１１１から供給されるビットストリームを復号する。すなわち、符号化側により符号化されたＩピクチャ、Ｐピクチャ、並びにＢピクチャが復号される。このとき、ヘッダ情報などのビットストリームに含められた画像情報以外の各種情報も復号される。
【００８２】
ステップＳ１０３において、ブロック解析部１１３は、ステップＳ１０２の処理により得られた係数データをパースしてブロック構造を解析する。
【００８３】
ステップＳ１０４において、逆量子化部１１４は、ステップＳ１０２の処理により得られた、量子化された係数を逆量子化する。
【００８４】
ステップＳ１０５において、逆直交変換部１１５は、ステップＳ１０４の処理により得られた直交変換係数を逆直交変換する。この処理により、輝度成分の残差データと色差成分の予測残差データが復元される。
【００８５】
ステップＳ１０６において、イントラ予測部１２０若しくはインター予測部１２１は、予測処理を行い、予測画像を生成する。つまり、可逆復号部１１２において判定された、符号化の際に適用された予測モードで予測処理が行われる。
【００８６】
ステップＳ１０７において、演算部１１６は、ステップＳ１０５の処理により復元された残差データに、ステップＳ１０６において生成された予測画像を加算する。これにより再構成画像が得られる。
【００８７】
ステップＳ１０８において、ループフィルタ１１７は、ステップＳ１０７の処理により得られた再構成画像に対して、デブロックフィルタ処理やSAO処理等を含むループフィルタ処理を行う。
【００８８】
ステップＳ１０９において、画面並べ替えバッファ１１８は、ステップＳ１０８の処理により得られた復号画像のフレームの並べ替えを行う。すなわち、符号化の際に並べ替えられたフレームの順序が、元の表示の順序に並べ替えられる。フレームが並べ替えられた復号画像は、画像復号装置１００の外部に出力される。
【００８９】
ステップＳ１１０において、フレームメモリ１１９は、ステップＳ１０８の処理により得られた復号画像を記憶する。
【００９０】
ステップＳ１１０の処理が終了すると、復号処理が終了する。
【００９１】
＜ブロック解析処理の流れ＞
次に、図８のフローチャートを参照して、図７のステップＳ１０３において実行されるブロック解析処理の流れの例を説明する。
【００９２】
ブロック解析処理が開始されると、ステップＳ１２１において、ブロック解析部１１３のCU解析部１３１は、CUについてサイズ毎に発生数と発生位置を求める。
【００９３】
ステップＳ１２２において、TU解析部１３２は、TUについてサイズ毎に発生数と発生位置を求める。
【００９４】
ステップＳ１２３において、PU解析部１３３は、PUについてサイズ毎に発生数と発生位置を求める。
【００９５】
ステップＳ１２３の処理が終了すると、ブロック解析処理が終了し、処理は図７に戻る。
【００９６】
＜逆量子化処理の流れ＞
次に、図９および図１０のフローチャートを参照して逆量子化処理の流れの例を説明する。
【００９７】
逆量子化処理が開始されると、逆量子化部１１４は、ステップＳ１３１において、i = 0を設定する。ステップＳ１３２において、逆量子化部１１４は、ステップＳ１２２の処理において算出されたTUの発生数を取得する。
【００９８】
ステップＳ１３３において、逆量子化部１１４は、i < (Num of 4x4TU)であるか否かを判定する。i < (Num of 4x4TU)である（すなわち、未処理の4x4サイズのTUが存在する）と判定した場合、処理をステップＳ１３４に進める。
【００９９】
ステップＳ１３４において、逆量子化部１１４は、ステップＳ１２２の処理において算出されたTUの発生位置に基づいて、処理対象である4x4サイズのカレントTUの位置を特定する。
【０１００】
ステップＳ１３５において、逆量子化部１１４は、4x4サイズのカレントTUを逆量子化する。
【０１０１】
ステップＳ１３６において、逆量子化部１１４は、i = i + 1を設定する。すなわち、処理対象を次のTUに移す。ステップＳ１３６の処理が終了すると、処理はステップＳ１３２に戻り、それ以降の処理を繰り返す。つまり、4x4サイズの各TUについて、ステップＳ１３２乃至ステップＳ１３６の各処理が実行される。
【０１０２】
4x4サイズの全TUについて、ステップＳ１３２乃至ステップＳ１３６の各処理が実行され、ステップＳ１３３において、i > (Num of 4x4TU)である（すなわち、未処理の4x4サイズのTUが存在しない）と判定した場合、処理はステップＳ１３７に進む。
【０１０３】
つまり、ステップＳ１３１乃至ステップＳ１３６の各処理は、4x4サイズのTUに対する処理である。
【０１０４】
同様に、8x8について、ステップＳ１３７乃至ステップＳ１４２の処理が実行される。ステップＳ１３７乃至ステップＳ１４２の各処理は、ステップＳ１３１乃至ステップＳ１３６の各処理と同様に実行される。
【０１０５】
ステップＳ１３９において、i > (Num of 8x8TU)である（すなわち、未処理の8x8サイズのTUが存在しない）と判定した場合、処理は図１０のステップＳ１５１に進む。
【０１０６】
同様に、16x16について、図１０のステップＳ１５１乃至ステップＳ１５６の処理が実行される。ステップＳ１５１乃至ステップＳ１５６の各処理は、ステップＳ１３１乃至ステップＳ１３６の各処理と同様に実行される。
【０１０７】
ステップＳ１５３において、i > (Num of 16x16TU)である（すなわち、未処理の16x16サイズのTUが存在しない）と判定した場合、処理はステップＳ１５７に進む。
【０１０８】
同様に、32x32について、ステップＳ１５７乃至ステップＳ１６２の処理が実行される。ステップＳ１５７乃至ステップＳ１６２の各処理は、ステップＳ１３１乃至ステップＳ１３６の各処理と同様に実行される。
【０１０９】
ステップＳ１５９において、i > (Num of 32x32TU)である（すなわち、未処理の32x32サイズのTUが存在しない）と判定した場合、逆量子化処理は終了し、処理は図７に戻る。
【０１１０】
図９および図１０において、各点線枠は、あるブロックサイズのTUに対する処理群を囲ったものである。図９および図１０に示されるように、各点線で囲まれる処理は、互いに独立に行うことができる。つまり、逆量子化部１１４は、逆量子化処理を、ブロックサイズ毎に独立に行うことができる。したがって、同一処理を高速に処理可能なプロセッサに最適なアルゴリズムを構築することができる。
【０１１１】
＜逆直交変換処理の流れ＞
次に、図１１および図１２のフローチャートを参照して、図７のステップＳ１０５において実行される逆直交変換処理の流れの例を説明する。逆直交変換処理は、逆量子化処理と基本的に同様に行われる。
【０１１２】
逆直交変換処理が開始されると、逆直交変換部１１５は、ステップＳ１７１において、i = 0を設定する。ステップＳ１７２において、逆直交変換部１１５は、ステップＳ１２２の処理において算出されたTUの発生数を取得する。
【０１１３】
ステップＳ１７３において、逆直交変換部１１５は、i < (Num of 4x4TU)であるか否かを判定する。i < (Num of 4x4TU)である（すなわち、未処理の4x4サイズのTUが存在する）と判定した場合、処理はステップＳ１７４に進む。
【０１１４】
ステップＳ１７４において、逆直交変換部１１５は、ステップＳ１２２の処理において算出されたTUの発生位置に基づいて、処理対象である4x4サイズのカレントTUの位置を特定する。
【０１１５】
ステップＳ１７５において、逆直交変換部１１５は、4x4サイズのカレントTUを逆直交変換する。
【０１１６】
ステップＳ１７６において、逆直交変換部１１５は、i = i + 1を設定する。すなわち、処理対象を次のTUに移す。ステップＳ１７６の処理が終了すると、処理はステップＳ１７２に戻り、それ以降の処理を繰り返す。つまり、4x4サイズの各TUについて、ステップＳ１７２乃至ステップＳ１７６の各処理が実行される。
【０１１７】
4x4サイズの全TUについて、ステップＳ１７２乃至ステップＳ１７６の各処理が実行され、ステップＳ１７３において、i > (Num of 4x4TU)である（すなわち、未処理の4x4サイズのTUが存在しない）と判定した場合、処理はステップＳ１７７に進む。
【０１１８】
つまり、ステップＳ１７１乃至ステップＳ１７６の各処理は、4x4サイズのTUに対する処理である。
【０１１９】
同様に、8x8について、ステップＳ１７７乃至ステップＳ１８２の処理が実行される。ステップＳ１７７乃至ステップＳ１８２の各処理は、ステップＳ１７１乃至ステップＳ１７６の各処理と同様に実行される。
【０１２０】
ステップＳ１７９において、i > (Num of 8x8TU)である（すなわち、未処理の8x8サイズのTUが存在しない）と判定した場合、処理は図１２のステップＳ１９１に進む。
【０１２１】
同様に、16x16について、図１２のステップＳ１９１乃至ステップＳ１９６の処理が実行される。ステップＳ１９１乃至ステップＳ１９６の各処理は、ステップＳ１７１乃至ステップＳ１７６の各処理と同様に実行される。
【０１２２】
ステップＳ１９３において、i > (Num of 16x16TU)である（すなわち、未処理の16x16サイズのTUが存在しない）と判定した場合、処理はステップＳ１９７に進む。
【０１２３】
同様に、32x32について、ステップＳ１９７乃至ステップＳ２０２の処理が実行される。ステップＳ１９７乃至ステップＳ２０２の各処理は、ステップＳ１７１乃至ステップＳ１７６の各処理と同様に実行される。
【０１２４】
ステップＳ１７９において、i > (Num of 32x32TU)である（すなわち、未処理の32x32サイズのTUが存在しない）と判定した場合、逆直交変換処理は終了し、処理は図７に戻る。
【０１２５】
図１１および図１２において、各点線枠は、あるブロックサイズのTUに対する処理群を囲ったものである。図１１および図１２に示されるように、各点線で囲まれる処理は、互いに独立に行うことができる。つまり、逆直交変換部１１５は、逆直交変換処理を、ブロックサイズ毎に独立に行うことができる。したがって、同一処理を高速に処理可能なプロセッサに最適なアルゴリズムを構築することができる。
【０１２６】
＜インター予測処理＞
次に、図１３のフローチャートを参照して、図７のステップＳ１０６において実行されるインター予測処理の流れの例を説明する。なお、ここではイントラ予測処理の説明は省略する。
【０１２７】
最適予測モードがインター予測モードであり、インター予測処理が開始されると、インター予測部１２１は、ステップＳ２１１において、処理対象のPUサイズであるカレントPUサイズを設定する。
【０１２８】
ステップＳ２１２において、インター予測部１２１は、i = 0を設定する。ステップＳ２１３において、インター予測部１２１は、ステップＳ１２３の処理において算出されたカレントPUサイズのPUの発生数を取得する。
【０１２９】
ステップＳ２１４において、インター予測部１２１は、未処理のPUが存在するか否かを判定する。存在すると判定された場合、処理はステップＳ２１５に進む。
【０１３０】
ステップＳ２１５において、インター予測部１２１は、ステップＳ１２３の処理において算出されたPUの発生位置に基づいて、カレントPUサイズのカレントPUの位置を特定する。
【０１３１】
ステップＳ２１６において、インター予測部１２１は、カレントPUサイズのカレントPUについて動き補償を行い、予測画像を生成する。
【０１３２】
ステップＳ２１７において、インター予測部１２１は、i = i + 1を設定する。すなわち、処理対象を次のPUに移す。ステップＳ２１７の処理が終了すると、処理はステップＳ２１３に戻り、それ以降の処理を繰り返す。つまり、カレントPUサイズの各PUについて、ステップＳ２１３乃至ステップＳ２１７の各処理が実行される。
【０１３３】
カレントPUサイズの全PUが処理されると、ステップＳ２１４において、未処理のPUが存在しないと判定され、処理はステップＳ２１８に進む。
【０１３４】
ステップＳ２１８において、インター予測部１２１は、未処理のPUサイズが存在するか否かを判定する。未処理のPUサイズが存在する場合、処理は、ステップＳ２１１に戻り、処理対象が次のPUサイズに切り替えられる。以上のようにステップＳ２１１乃至ステップＳ２１８が繰り返され、全PUサイズの全PUについて予測画像が生成されると、インター予測部１２１は、ステップＳ２１８において、未処理のPUサイズが存在しないと判定し、インター予測処理が終了し、処理は、図７に戻る。
【０１３５】
以上のように、インター予測（動き補償）もPUサイズ毎に独立に行うことができる。したがって、同一処理を高速に処理可能なプロセッサに最適なアルゴリズムを構築することができる。
【０１３６】
なお、インター予測は、PUの代わりにCU単位で処理を行うようにしてもよい。その場合、インター予測をCUサイズ毎に独立に行うようにすればよい。
【０１３７】
以上のように、画像復号装置１００は、逆量子化処理、逆直交変換処理、インター予測処理（動き補償）等をより効率よく実行することができる。なお、本技術を適用可能な処理は、上述した逆量子化処理、逆直交変換処理、インター予測処理（動き補償）に限らない。例えば、ループフィルタ１１７によるフィルタ処理やイントラ予測部１２０によるイントラ予測処理等の画素復元（PixelReconstruction）処理にも本技術を適用することができる。すなわち、これらの処理も、ブロックサイズ毎に独立に行うようにすることができる。
【０１３８】
したがって、画像復号装置１００は、より効率よく復号処理を行うことができる。
【０１３９】
＜２．第２の実施の形態＞
＜画像復号装置＞
なお、各ブロックサイズの発生数が把握できているため、各ブロックサイズの処理負荷が予め分かっている場合には、処理の均等な分散が可能になる。各ブロックサイズのパフォーマンスを知る方法としては、例えばハードウエアスペック等の環境毎、あるいはデコード処理の開始時に予め各ブロックサイズのパフォーマンスを計測するキャリブレーション処理などが有効である。
【０１４０】
図１４は、本技術を適用した画像処理装置の一態様である画像復号装置の主な構成例を示すブロック図である。図１４に示される画像復号装置３００は、画像復号装置１００と同様の復号装置であり、図示せぬ画像符号化装置が画像データをHEVC符号化方式により符号化して生成した符号化データを復号する。
【０１４１】
図１４に示されるように、画像復号装置３００は、基本的に画像復号装置１００と同様の構成を有するが、さらに、キャリブレーション処理部３１１および並列制御部３１２を有する。
【０１４２】
キャリブレーション処理部３１１は、可逆復号部１１２から係数データを取得し、各ブロックサイズについてキャリブレーションを行い、ブロックサイズ毎に処理の負荷量を求め、その情報を並列制御部３１２に供給する。
【０１４３】
並列制御部３１２は、ブロック解析部１１３から供給されるブロック構造の解析結果と、キャリブレーション処理部３１１から供給される各ブロックサイズの負荷量の情報とに基づいて、負荷ができるだけ均等になるように、各ブロックに対する処理を並列化する。
【０１４４】
このようにすることにより、画像復号装置３００は、処理負荷のばらつきを低減させるように処理を並列化することができるため、環境（ハードウエアスペック）をより有効に利用することができ、より効率よく処理を行うことができる。
【０１４５】
＜復号処理の流れ＞
次に、画像復号装置３００により実行される復号処理の流れの例を、図１５のフローチャートを参照して説明する。
【０１４６】
復号処理が開始されると、ステップＳ３０１において、キャリブレーション処理部３１１において、キャリブレーションを行い、ブロックサイズ毎の負荷量を算出する。
【０１４７】
ステップＳ３０２乃至ステップＳ３０４の各処理は、図７のステップＳ１０１乃至ステップＳ１０３の各処理と同様に実行される。
【０１４８】
ステップＳ３０５において、並列制御部３１２は、ステップＳ３０１の処理により得られたキャリブレーション結果と、ステップＳ３０４の処理により得られたブロック構造の解析結果とに基づいて、処理をハードウエアに割り当てる。処理を並列化する場合は、負荷量が均等になるように、各処理を振り分ける。
【０１４９】
ステップＳ３０６乃至ステップＳ３１２の各処理は、ステップＳ１０４乃至ステップＳ１１０の各処理と同様に実行される。
【０１５０】
以上のように復号処理を実行することにより、コーディングブロックサイズをPixelReconstruction処理に先駆けて解析することで、以降のPixelReconstruction処理の高速化を可能とする。具体的には、細かい分岐の削減によるオーバーヘッドの低減、キャッシュ効率の向上、効率的な負荷分散などが挙げられる。また、同一処理を高速に処理可能なプロセッサに最適なアルゴリズムも容易に構築可能となる。すなわち、画像復号装置３００は、より効率よく復号処理を行うことができる。
【０１５１】
本技術の適用範囲は、画像データが符号化された符号化データを復号可能な、復号の際にフィルタ処理を行うあらゆる画像復号装置に適用することができる。
【０１５２】
また、本技術は、例えば、MPEG、H．26x等の様に、離散コサイン変換等の直交変換と動き補償によって圧縮された画像情報（ビットストリーム）を、衛星放送、ケーブルテレビジョン、インターネット、または携帯電話機などのネットワークメディアを介して受信する際に用いられる画像復号装置に適用することができる。また、本技術は、光、磁気ディスク、およびフラッシュメモリのような記憶メディア上で処理する際に用いられる画像復号装置に適用することができる。
【０１５３】
＜３．第３の実施の形態＞
＜多視点画像復号への適用＞
上述した一連の処理は、多視点画像復号に適用することができる。図１６は、多視点画像符号化方式の一例を示す。
【０１５４】
図１６に示されるように、多視点画像は、複数の視点（ビュー（view））の画像を含む。この多視点画像の複数のビューは、他のビューの情報を利用せずに自身のビューの画像のみを用いて符号化・復号を行うベースビューと、他のビューの情報を利用して符号化・復号を行うノンベースビューとによりなる。ノンベースビューの符号化・復号は、ベースビューの情報を利用するようにしても良いし、他のノンベースビューの情報を利用するようにしてもよい。
【０１５５】
図１６の例のような多視点画像を符号化する場合、多視点画像は、視点毎に符号化される。そして、そのようにして得られた符号化データを復号する場合、各視点の符号化データは、それぞれ（すなわち視点毎に）復号される。このような各視点の復号に対して、第１および第２の実施の形態において上述した方法を適用するようにしてもよい。このようにすることにより、各視点の画像について、より効率よく復号処理を行うことができる。つまり、多視点画像の場合も同様に、より効率よく復号処理を行うことができる。
【０１５６】
＜多視点画像符号化装置＞
図１７は、上述した多視点画像符号化を行う多視点画像符号化装置を示す図である。図１７に示されるように、多視点画像符号化装置６００は、符号化部６０１、符号化部６０２、および多重化部６０３を有する。
【０１５７】
符号化部６０１は、ベースビュー画像を符号化し、ベースビュー画像符号化ストリームを生成する。符号化部６０２は、ノンベースビュー画像を符号化し、ノンベースビュー画像符号化ストリームを生成する。多重化部６０３は、符号化部６０１において生成されたベースビュー画像符号化ストリームと、符号化部６０２において生成されたノンベースビュー画像符号化ストリームとを多重化し、多視点画像符号化ストリームを生成する。
【０１５８】
＜多視点画像復号装置＞
図１８は、上述した多視点画像復号を行う多視点画像復号装置を示す図である。図１８に示されるように、多視点画像復号装置６１０は、逆多重化部６１１、復号部６１２、および復号部６１３を有する。
【０１５９】
逆多重化部６１１は、ベースビュー画像符号化ストリームとノンベースビュー画像符号化ストリームとが多重化された多視点画像符号化ストリームを逆多重化し、ベースビュー画像符号化ストリームと、ノンベースビュー画像符号化ストリームとを抽出する。復号部６１２は、逆多重化部６１１により抽出されたベースビュー画像符号化ストリームを復号し、ベースビュー画像を得る。復号部６１３は、逆多重化部６１１により抽出されたノンベースビュー画像符号化ストリームを復号し、ノンベースビュー画像を得る。
【０１６０】
例えば、このような多視点画像復号装置６１０の復号部６１２および復号部６１３として、上述した画像復号装置１００または画像復号装置３００を適用すればよい。このようにすることにより、多視点画像の符号化データの復号においても、第１および第２の実施の形態において説明した方法を適用することができる。すなわち、多視点画像復号装置６１０は、多視点画像の符号化データの復号処理をより効率よく行うことができる。
【０１６１】
＜４．第４の実施の形態＞
＜階層画像復号への適用＞
また、上述した一連の処理は、階層画像復号（スケーラブル復号）に適用することができる。図１９は、階層画像符号化方式の一例を示す。
【０１６２】
階層画像符号化（スケーラブル符号化）は、画像データを、所定のパラメータについてスケーラビリティ（scalability）機能を有するように、画像を複数レイヤ化（階層化）し、レイヤ毎に符号化するものである。階層画像復号は、その階層画像符号化（スケーラブル復号）は、その階層画像符号化に対応する復号である。
【０１６３】
図１９に示されるように、画像の階層化においては、スケーラビリティ機能を有する所定のパラメータを基準として１の画像が複数の画像（レイヤ）に分割される。つまり、階層化された画像（階層画像）は、その所定のパラメータの値が互いに異なる複数の階層（レイヤ）の画像を含む。この階層画像の複数のレイヤは、他のレイヤの画像を利用せずに自身のレイヤの画像のみを用いて符号化・復号を行うベースレイヤと、他のレイヤの画像を利用して符号化・復号を行うノンベースレイヤ（エンハンスメントレイヤとも称する）とによりなる。ノンベースレイヤは、ベースレイヤの画像を利用するようにしても良いし、他のノンベースレイヤの画像を利用するようにしてもよい。
【０１６４】
一般的に、ノンベースレイヤは、冗長性が低減されるように、自身の画像と、他のレイヤの画像との差分画像のデータ（差分データ）により構成される。例えば、１の画像をベースレイヤとノンベースレイヤ（エンハンスメントレイヤとも称する）に２階層化した場合、ベースレイヤのデータのみで元の画像よりも低品質な画像が得られ、ベースレイヤのデータとノンベースレイヤのデータを合成することで、元の画像（すなわち高品質な画像）が得られる。
【０１６５】
このように画像を階層化することにより、状況に応じて多様な品質の画像を容易に得ることができる。例えば携帯電話のような、処理能力の低い端末に対しては、ベースレイヤ（base layer）のみの画像圧縮情報を伝送し、空間時間解像度の低い、或いは、画質の良くない動画像を再生し、テレビやパーソナルコンピュータのような、処理能力の高い端末に対しては、ベースレイヤ（base layer）に加えて、エンハンスメントレイヤ（enhancement layer）の画像圧縮情報を伝送し、空間時間解像度の高い、或いは、画質の高い動画像を再生するといったように、トランスコード処理を行うことなく、端末やネットワークの能力に応じた画像圧縮情報を、サーバから送信することが可能となる。
【０１６６】
図１９の例のような階層画像を符号化する場合、階層画像は、レイヤ毎に符号化される。そして、そのようにして得られた符号化データを復号する場合、各レイヤの符号化データは、それぞれ（すなわちレイヤ毎に）復号される。このような各レイヤの復号に対して、第１および第２の実施の形態において上述した方法を適用するようにしてもよい。このようにすることにより、各レイヤの画像について、より効率よく復号処理を行うことができる。つまり、階層画像の場合も同様に、より効率よく復号処理を行うことができる。
【０１６７】
＜スケーラブルなパラメータ＞
このような階層画像符号化・階層画像復号（スケーラブル符号化・スケーラブル復号）において、スケーラビリティ（scalability）機能を有するパラメータは、任意である。例えば、図２０に示されるような空間解像度をそのパラメータとしてもよい（spatial scalability）。このスペーシャルスケーラビリティ（spatial scalability）の場合、レイヤ毎に画像の解像度が異なる。つまり、図２０に示されるように、各ピクチャが、元の画像より空間的に低解像度のベースレイヤと、ベースレイヤの画像と合成することにより元の画像（元の空間解像度）が得られるエンハンスメントレイヤの２階層に階層化される。もちろん、この階層数は一例であり、任意の階層数に階層化することができる。
【０１６８】
また、このようなスケーラビリティ性を持たせるパラメータとして、他には、例えば、図２１に示されるような、時間解像度を適用しても良い（temporal scalability）。このテンポラルスケーラビリティ（temporal scalability）の場合、レイヤ毎にフレームレートが異なる。つまり、この場合、図２１に示されるように、互いに異なるフレームレートのレイヤに階層化されており、低フレームレートのレイヤに、高フレームレートのレイヤを加えることで、より高フレームレートの動画像を得ることができ、全てのレイヤを加えることで、元の動画像（元のフレームレート）を得ることができる。この階層数は一例であり、任意の階層数に階層化することができる。
【０１６９】
さらに、このようなスケーラビリティ性を持たせるパラメータとして、例えば、信号雑音比（SNR（Signal to Noise ratio））を適用しても良い（SNR scalability）。このSNRスケーラビリティ（SNR scalability）の場合、レイヤ毎にSN比が異なる。つまり、図２２に示されるように、各ピクチャが、元の画像よりSNRの低いベースレイヤと、ベースレイヤの画像と合成することにより元の画像（元のSNR）が得られるエンハンスメントレイヤの２階層に階層化される。すなわち、ベースレイヤ（base layer）画像圧縮情報においては、低PSNRの画像に関する情報が伝送されており、これに、エンハンスメントレイヤ（enhancement layer）画像圧縮情報を加えることで、高PSNR画像を再構築することが可能である。もちろん、この階層数は一例であり、任意の階層数に階層化することができる。
【０１７０】
スケーラビリティ性を持たせるパラメータは、上述した例以外であっても、もちろんよい。例えば、ベースレイヤ（base layer）が８ビット（bit）画像よりなり、これにエンハンスメントレイヤ（enhancement layer）を加えることにより、10ビット（bit）画像が得られるビット深度スケーラビリティ（bit-depth scalability）がある。
【０１７１】
また、ベースレイヤ（base layer）が4:2:0フォーマットのコンポーネント画像よりなり、これにエンハンスメントレイヤ（enhancement layer）を加えることにより、4:2:2フォーマットのコンポーネント画像が得られるクロマスケーラビリティ（chroma scalability）がある。
【０１７２】
＜階層画像符号化装置＞
図２３は、上述した階層画像符号化を行う階層画像符号化装置を示す図である。図２３に示されるように、階層画像符号化装置６２０は、符号化部６２１、符号化部６２２、および多重化部６２３を有する。
【０１７３】
符号化部６２１は、ベースレイヤ画像を符号化し、ベースレイヤ画像符号化ストリームを生成する。符号化部６２２は、ノンベースレイヤ画像を符号化し、ノンベースレイヤ画像符号化ストリームを生成する。多重化部６２３は、符号化部６２１において生成されたベースレイヤ画像符号化ストリームと、符号化部６２２において生成されたノンベースレイヤ画像符号化ストリームとを多重化し、階層画像符号化ストリームを生成する。
【０１７４】
＜階層画像復号装置＞
図２４は、上述した階層画像復号を行う階層画像復号装置を示す図である。図２４に示されるように、階層画像復号装置６３０は、逆多重化部６３１、復号部６３２、および復号部６３３を有する。
【０１７５】
逆多重化部６３１は、ベースレイヤ画像符号化ストリームとノンベースレイヤ画像符号化ストリームとが多重化された階層画像符号化ストリームを逆多重化し、ベースレイヤ画像符号化ストリームと、ノンベースレイヤ画像符号化ストリームとを抽出する。復号部６３２は、逆多重化部６３１により抽出されたベースレイヤ画像符号化ストリームを復号し、ベースレイヤ画像を得る。復号部６３３は、逆多重化部６３１により抽出されたノンベースレイヤ画像符号化ストリームを復号し、ノンベースレイヤ画像を得る。
【０１７６】
例えば、このような階層画像復号装置６３０の復号部６３２および復号部６３３として、上述した画像復号装置１００または画像復号装置３００を適用すればよい。このようにすることにより、階層画像の符号化データの復号においても、第１および第２の実施の形態において説明した方法を適用することができる。すなわち、階層画像復号装置６３０は、階層画像の符号化データの復号処理をより効率よく行うことができる。
【０１７７】
＜５．第５の実施の形態＞
＜コンピュータ＞
上述した一連の処理は、ハードウエアにより実行させることもできるし、ソフトウエアにより実行させることもできる。一連の処理をソフトウエアにより実行する場合には、そのソフトウエアを構成するプログラムが、コンピュータにインストールされる。ここでコンピュータには、専用のハードウエアに組み込まれているコンピュータや、各種のプログラムをインストールすることで、各種の機能を実行することが可能な、例えば汎用のパーソナルコンピュータ等が含まれる。
【０１７８】
図２５は、上述した一連の処理をプログラムにより実行するコンピュータのハードウエアの構成例を示すブロック図である。
【０１７９】
図２５に示されるコンピュータ８００において、CPU（Central Processing Unit）８０１、ROM（Read Only Memory）８０２、RAM（Random Access Memory）８０３は、バス８０４を介して相互に接続されている。
【０１８０】
バス８０４にはまた、入出力インタフェース８１０も接続されている。入出力インタフェース８１０には、入力部８１１、出力部８１２、記憶部８１３、通信部８１４、およびドライブ８１５が接続されている。
【０１８１】
入力部８１１は、例えば、キーボード、マウス、マイクロホン、タッチパネル、入力端子などよりなる。出力部８１２は、例えば、ディスプレイ、スピーカ、出力端子などよりなる。記憶部８１３は、例えば、ハードディスク、RAMディスク、不揮発性のメモリなどよりなる。通信部８１４は、例えば、ネットワークインタフェースよりなる。ドライブ８１５は、磁気ディスク、光ディスク、光磁気ディスク、または半導体メモリなどのリムーバブルメディア８２１を駆動する。
【０１８２】
以上のように構成されるコンピュータでは、CPU８０１が、例えば、記憶部８１３に記憶されているプログラムを、入出力インタフェース８１０およびバス８０４を介して、RAM８０３にロードして実行することにより、上述した一連の処理が行われる。RAM８０３にはまた、CPU８０１が各種の処理を実行する上において必要なデータなども適宜記憶される。
【０１８３】
コンピュータ（CPU８０１）が実行するプログラムは、例えば、パッケージメディア等としてのリムーバブルメディア８２１に記録して適用することができる。その場合、プログラムは、リムーバブルメディア８２１をドライブ８１５に装着することにより、入出力インタフェース８１０を介して、記憶部８１３にインストールすることができる。
【０１８４】
また、このプログラムは、ローカルエリアネットワーク、インターネット、デジタル衛星放送といった、有線または無線の伝送媒体を介して提供することもできる。その場合、プログラムは、通信部８１４で受信し、記憶部８１３にインストールすることができる。
【０１８５】
その他、このプログラムは、ROM８０２や記憶部８１３に、あらかじめインストールしておくこともできる。
【０１８６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１８７】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１８８】
また、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１８９】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。
【０１９０】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１９１】
例えば、本技術は、１つの機能を、ネットワークを介して複数の装置で分担、共同して処理するクラウドコンピューティングの構成をとることができる。
【０１９２】
また、上述のフローチャートで説明した各ステップは、１つの装置で実行する他、複数の装置で分担して実行することができる。
【０１９３】
さらに、１つのステップに複数の処理が含まれる場合には、その１つのステップに含まれる複数の処理は、１つの装置で実行する他、複数の装置で分担して実行することができる。
【０１９４】
上述した実施形態に係る画像復号装置は、例えば、衛星放送、ケーブルＴＶなどの有線放送、インターネット上での配信、及びセルラー通信による端末への配信などにおける送信機若しくは受信機、光ディスク、磁気ディスク及びフラッシュメモリなどの媒体に画像を記録する記録装置、又は、これら記憶媒体から画像を再生する再生装置などの様々な電子機器に応用され得る。以下、４つの応用例について説明する。
【０１９５】
＜６．第６の実施の形態＞
＜第１の応用例：テレビジョン受像機＞
図２６は、上述した実施形態を適用したテレビジョン装置の概略的な構成の一例を示している。テレビジョン装置９００は、アンテナ９０１、チューナ９０２、デマルチプレクサ９０３、デコーダ９０４、映像信号処理部９０５、表示部９０６、音声信号処理部９０７、スピーカ９０８、外部インタフェース（I/F）部９０９、制御部９１０、ユーザインタフェース（I/F）部９１１、及びバス９１２を備える。
【０１９６】
チューナ９０２は、アンテナ９０１を介して受信される放送信号から所望のチャンネルの信号を抽出し、抽出した信号を復調する。そして、チューナ９０２は、復調により得られた符号化ビットストリームをデマルチプレクサ９０３へ出力する。即ち、チューナ９０２は、画像が符号化されている符号化ストリームを受信する、テレビジョン装置９００における伝送部としての役割を有する。
【０１９７】
デマルチプレクサ９０３は、符号化ビットストリームから視聴対象の番組の映像ストリーム及び音声ストリームを分離し、分離した各ストリームをデコーダ９０４へ出力する。また、デマルチプレクサ９０３は、符号化ビットストリームからEPG（Electronic Program Guide）などの補助的なデータを抽出し、抽出したデータを制御部９１０に供給する。なお、デマルチプレクサ９０３は、符号化ビットストリームがスクランブルされている場合には、デスクランブルを行ってもよい。
【０１９８】
デコーダ９０４は、デマルチプレクサ９０３から入力される映像ストリーム及び音声ストリームを復号する。そして、デコーダ９０４は、復号処理により生成される映像データを映像信号処理部９０５へ出力する。また、デコーダ９０４は、復号処理により生成される音声データを音声信号処理部９０７へ出力する。
【０１９９】
映像信号処理部９０５は、デコーダ９０４から入力される映像データを再生し、表示部９０６に映像を表示させる。また、映像信号処理部９０５は、ネットワークを介して供給されるアプリケーション画面を表示部９０６に表示させてもよい。また、映像信号処理部９０５は、映像データについて、設定に応じて、例えばノイズ除去などの追加的な処理を行ってもよい。さらに、映像信号処理部９０５は、例えばメニュー、ボタン又はカーソルなどのGUI（Graphical User Interface）の画像を生成し、生成した画像を出力画像に重畳してもよい。
【０２００】
表示部９０６は、映像信号処理部９０５から供給される駆動信号により駆動され、表示デバイス（例えば、液晶ディスプレイ、プラズマディスプレイ又はOELD（Organic ElectroLuminescence Display）（有機ELディスプレイ）など）の映像面上に映像又は画像を表示する。
【０２０１】
音声信号処理部９０７は、デコーダ９０４から入力される音声データについてD/A変換及び増幅などの再生処理を行い、スピーカ９０８から音声を出力させる。また、音声信号処理部９０７は、音声データについてノイズ除去などの追加的な処理を行ってもよい。
【０２０２】
外部インタフェース部９０９は、テレビジョン装置９００と外部機器又はネットワークとを接続するためのインタフェースである。例えば、外部インタフェース部９０９を介して受信される映像ストリーム又は音声ストリームが、デコーダ９０４により復号されてもよい。即ち、外部インタフェース部９０９もまた、画像が符号化されている符号化ストリームを受信する、テレビジョン装置９００における伝送部としての役割を有する。
【０２０３】
制御部９１０は、CPUなどのプロセッサ、並びにRAM及びROMなどのメモリを有する。メモリは、CPUにより実行されるプログラム、プログラムデータ、EPGデータ、及びネットワークを介して取得されるデータなどを記憶する。メモリにより記憶されるプログラムは、例えば、テレビジョン装置９００の起動時にCPUにより読み込まれ、実行される。CPUは、プログラムを実行することにより、例えばユーザインタフェース部９１１から入力される操作信号に応じて、テレビジョン装置９００の動作を制御する。
【０２０４】
ユーザインタフェース部９１１は、制御部９１０と接続される。ユーザインタフェース部９１１は、例えば、ユーザがテレビジョン装置９００を操作するためのボタン及びスイッチ、並びに遠隔制御信号の受信部などを有する。ユーザインタフェース部９１１は、これら構成要素を介してユーザによる操作を検出して操作信号を生成し、生成した操作信号を制御部９１０へ出力する。
【０２０５】
バス９１２は、チューナ９０２、デマルチプレクサ９０３、デコーダ９０４、映像信号処理部９０５、音声信号処理部９０７、外部インタフェース部９０９及び制御部９１０を相互に接続する。
【０２０６】
このように構成されたテレビジョン装置９００において、デコーダ９０４が、画像復号装置１００または画像復号装置３００の機能を有するようにしてもよい。つまり、デコーダ９０４が、符号化データを第１および第２の実施の形態において説明した方法で復号するようにしてもよい。このようにすることにより、テレビジョン装置９００は、受信した符号化ビットストリームの復号処理をより効率よく行うことができる。
【０２０７】
＜第２の応用例：携帯電話機＞
図２７は、上述した実施形態を適用した携帯電話機の概略的な構成の一例を示している。携帯電話機９２０は、アンテナ９２１、通信部９２２、音声コーデック９２３、スピーカ９２４、マイクロホン９２５、カメラ部９２６、画像処理部９２７、多重分離部９２８、記録再生部９２９、表示部９３０、制御部９３１、操作部９３２、及びバス９３３を備える。
【０２０８】
アンテナ９２１は、通信部９２２に接続される。スピーカ９２４及びマイクロホン９２５は、音声コーデック９２３に接続される。操作部９３２は、制御部９３１に接続される。バス９３３は、通信部９２２、音声コーデック９２３、カメラ部９２６、画像処理部９２７、多重分離部９２８、記録再生部９２９、表示部９３０、及び制御部９３１を相互に接続する。
【０２０９】
携帯電話機９２０は、音声通話モード、データ通信モード、撮影モード及びテレビ電話モードを含む様々な動作モードで、音声信号の送受信、電子メール又は画像データの送受信、画像の撮像、及びデータの記録などの動作を行う。
【０２１０】
音声通話モードにおいて、マイクロホン９２５により生成されるアナログ音声信号は、音声コーデック９２３に供給される。音声コーデック９２３は、アナログ音声信号を音声データへ変換し、変換された音声データをA/D変換し圧縮する。そして、音声コーデック９２３は、圧縮後の音声データを通信部９２２へ出力する。通信部９２２は、音声データを符号化及び変調し、送信信号を生成する。そして、通信部９２２は、生成した送信信号を、アンテナ９２１を介して基地局（図示せず）へ送信する。また、通信部９２２は、アンテナ９２１を介して受信される無線信号を増幅し及び周波数変換し、受信信号を取得する。そして、通信部９２２は、受信信号を復調及び復号して音声データを生成し、生成した音声データを音声コーデック９２３へ出力する。音声コーデック９２３は、音声データを伸張し及びD/A変換し、アナログ音声信号を生成する。そして、音声コーデック９２３は、生成した音声信号をスピーカ９２４に供給して音声を出力させる。
【０２１１】
また、データ通信モードにおいて、例えば、制御部９３１は、操作部９３２を介するユーザによる操作に応じて、電子メールを構成する文字データを生成する。また、制御部９３１は、文字を表示部９３０に表示させる。また、制御部９３１は、操作部９３２を介するユーザからの送信指示に応じて電子メールデータを生成し、生成した電子メールデータを通信部９２２へ出力する。通信部９２２は、電子メールデータを符号化及び変調し、送信信号を生成する。そして、通信部９２２は、生成した送信信号を、アンテナ９２１を介して基地局（図示せず）へ送信する。また、通信部９２２は、アンテナ９２１を介して受信される無線信号を増幅し及び周波数変換し、受信信号を取得する。そして、通信部９２２は、受信信号を復調及び復号して電子メールデータを復元し、復元した電子メールデータを制御部９３１へ出力する。制御部９３１は、表示部９３０に電子メールの内容を表示させると共に、電子メールデータを記録再生部９２９に供給し、その記憶媒体に書き込ませる。
【０２１２】
記録再生部９２９は、読み書き可能な任意の記憶媒体を有する。例えば、記憶媒体は、RAM又はフラッシュメモリなどの内蔵型の記憶媒体であってもよく、ハードディスク、磁気ディスク、光磁気ディスク、光ディスク、USB（Universal Serial Bus）メモリ、又はメモリカードなどの外部装着型の記憶媒体であってもよい。
【０２１３】
また、撮影モードにおいて、例えば、カメラ部９２６は、被写体を撮像して画像データを生成し、生成した画像データを画像処理部９２７へ出力する。画像処理部９２７は、カメラ部９２６から入力される画像データを符号化し、符号化ストリームを記録再生部９２９に供給し、その記憶媒体に書き込ませる。
【０２１４】
さらに、画像表示モードにおいて、記録再生部９２９は、記憶媒体に記録されている符号化ストリームを読み出して画像処理部９２７へ出力する。画像処理部９２７は、記録再生部９２９から入力される符号化ストリームを復号し、画像データを表示部９３０に供給し、その画像を表示させる。
【０２１５】
また、テレビ電話モードにおいて、例えば、多重分離部９２８は、画像処理部９２７により符号化された映像ストリームと、音声コーデック９２３から入力される音声ストリームとを多重化し、多重化したストリームを通信部９２２へ出力する。通信部９２２は、ストリームを符号化及び変調し、送信信号を生成する。そして、通信部９２２は、生成した送信信号を、アンテナ９２１を介して基地局（図示せず）へ送信する。また、通信部９２２は、アンテナ９２１を介して受信される無線信号を増幅し及び周波数変換し、受信信号を取得する。これら送信信号及び受信信号には、符号化ビットストリームが含まれ得る。そして、通信部９２２は、受信信号を復調及び復号してストリームを復元し、復元したストリームを多重分離部９２８へ出力する。多重分離部９２８は、入力されるストリームから映像ストリーム及び音声ストリームを分離し、映像ストリームを画像処理部９２７、音声ストリームを音声コーデック９２３へ出力する。画像処理部９２７は、映像ストリームを復号し、映像データを生成する。映像データは、表示部９３０に供給され、表示部９３０により一連の画像が表示される。音声コーデック９２３は、音声ストリームを伸張し及びD/A変換し、アナログ音声信号を生成する。そして、音声コーデック９２３は、生成した音声信号をスピーカ９２４に供給して音声を出力させる。
【０２１６】
このように構成された携帯電話機９２０において、例えば画像処理部９２７が、画像復号装置１００または画像復号装置３００の機能を有するようにしてもよい。つまり、画像処理部９２７が、符号化データを第１および第２の実施の形態において説明した方法で復号するようにしてもよい。このようにすることにより、携帯電話機９２０は、符号化ストリーム（映像ストリーム）の復号処理をより効率よく行うことができる。
【０２１７】
＜第３の応用例：記録再生装置＞
図２８は、上述した実施形態を適用した記録再生装置の概略的な構成の一例を示している。記録再生装置９４０は、例えば、受信した放送番組の音声データ及び映像データを符号化して記録媒体に記録する。また、記録再生装置９４０は、例えば、他の装置から取得される音声データ及び映像データを符号化して記録媒体に記録してもよい。また、記録再生装置９４０は、例えば、ユーザの指示に応じて、記録媒体に記録されているデータをモニタ及びスピーカ上で再生する。このとき、記録再生装置９４０は、音声データおよび映像データを復号する。
【０２１８】
記録再生装置９４０は、チューナ９４１、外部インタフェース（I/F）部９４２、エンコーダ９４３、HDD（Hard Disk Drive）９４４、ディスクドライブ９４５、セレクタ９４６、デコーダ９４７、OSD（On-Screen Display）９４８、制御部９４９、およびユーザインタフェース（I/F）部９５０を備える。
【０２１９】
チューナ９４１は、アンテナ（図示せず）を介して受信される放送信号から所望のチャンネルの信号を抽出し、抽出した信号を復調する。そして、チューナ９４１は、復調により得られた符号化ビットストリームをセレクタ９４６へ出力する。即ち、チューナ９４１は、記録再生装置９４０における伝送部としての役割を有する。
【０２２０】
外部インタフェース部９４２は、記録再生装置９４０と外部機器又はネットワークとを接続するためのインタフェースである。外部インタフェース部９４２は、例えば、IEEE（Institute of Electrical and Electronic Engineers）1394インタフェース、ネットワークインタフェース、USBインタフェース、又はフラッシュメモリインタフェースなどであってよい。例えば、外部インタフェース部９４２を介して受信される映像データおよび音声データは、エンコーダ９４３へ入力される。即ち、外部インタフェース部９４２は、記録再生装置９４０における伝送部としての役割を有する。
【０２２１】
エンコーダ９４３は、外部インタフェース部９４２から入力される映像データおよび音声データが符号化されていない場合に、映像データおよび音声データを符号化する。そして、エンコーダ９４３は、符号化ビットストリームをセレクタ９４６へ出力する。
【０２２２】
HDD９４４は、映像および音声などのコンテンツデータが圧縮された符号化ビットストリーム、各種プログラムおよびその他のデータを内部のハードディスクに記録する。また、HDD９４４は、映像および音声の再生時に、これらデータをハードディスクから読み出す。
【０２２３】
ディスクドライブ９４５は、装着されている記録媒体へのデータの記録および読み出しを行う。ディスクドライブ９４５に装着される記録媒体は、例えばDVD（Digital Versatile Disc）ディスク（DVD-Video、DVD-RAM（DVD - Random Access Memory）、DVD-R（DVD - Recordable）、DVD-RW（DVD - Rewritable）、DVD+R（DVD + Recordable）、DVD+RW（DVD + Rewritable）等）又はBlu-ray（登録商標）ディスクなどであってよい。
【０２２４】
セレクタ９４６は、映像および音声の記録時には、チューナ９４１又はエンコーダ９４３から入力される符号化ビットストリームを選択し、選択した符号化ビットストリームをHDD９４４又はディスクドライブ９４５へ出力する。また、セレクタ９４６は、映像及び音声の再生時には、HDD９４４又はディスクドライブ９４５から入力される符号化ビットストリームをデコーダ９４７へ出力する。
【０２２５】
デコーダ９４７は、符号化ビットストリームを復号し、映像データ及び音声データを生成する。そして、デコーダ９４７は、生成した映像データをOSD９４８へ出力する。また、デコーダ９４７は、生成した音声データを外部のスピーカへ出力する。
【０２２６】
OSD９４８は、デコーダ９４７から入力される映像データを再生し、映像を表示する。また、OSD９４８は、表示する映像に、例えばメニュー、ボタン又はカーソルなどのGUIの画像を重畳してもよい。
【０２２７】
制御部９４９は、CPUなどのプロセッサ、並びにRAM及びROMなどのメモリを有する。メモリは、CPUにより実行されるプログラム、及びプログラムデータなどを記憶する。メモリにより記憶されるプログラムは、例えば、記録再生装置９４０の起動時にCPUにより読み込まれ、実行される。CPUは、プログラムを実行することにより、例えばユーザインタフェース部９５０から入力される操作信号に応じて、記録再生装置９４０の動作を制御する。
【０２２８】
ユーザインタフェース部９５０は、制御部９４９と接続される。ユーザインタフェース部９５０は、例えば、ユーザが記録再生装置９４０を操作するためのボタンおよびスイッチ、並びに遠隔制御信号の受信部などを有する。ユーザインタフェース部９５０は、これら構成要素を介してユーザによる操作を検出して操作信号を生成し、生成した操作信号を制御部９４９へ出力する。
【０２２９】
このように構成された記録再生装置９４０において、例えばデコーダ９４７が、画像復号装置１００または画像復号装置３００の機能を有するようにしてもよい。つまり、デコーダ９４７が、符号化データを第１および第２の実施の形態において説明した方法で復号するようにしてもよい。このようにすることにより、記録再生装置９４０は、符号化ビットストリームの復号処理をより効率よく行うことができる。
【０２３０】
＜第４の応用例：撮像装置＞
図２９は、上述した実施形態を適用した撮像装置の概略的な構成の一例を示している。撮像装置９６０は、被写体を撮像して画像を生成し、画像データを符号化して記録媒体に記録する。
【０２３１】
撮像装置９６０は、光学ブロック９６１、撮像部９６２、信号処理部９６３、画像処理部９６４、表示部９６５、外部インタフェース（I/F）部９６６、メモリ部９６７、メディアドライブ９６８、OSD９６９、制御部９７０、ユーザインタフェース（I/F）部９７１、およびバス９７２を備える。
【０２３２】
光学ブロック９６１は、撮像部９６２に接続される。撮像部９６２は、信号処理部９６３に接続される。表示部９６５は、画像処理部９６４に接続される。ユーザインタフェース部９７１は、制御部９７０に接続される。バス９７２は、画像処理部９６４、外部インタフェース部９６６、メモリ部９６７、メディアドライブ９６８、OSD９６９、および制御部９７０を相互に接続する。
【０２３３】
光学ブロック９６１は、フォーカスレンズ及び絞り機構などを有する。光学ブロック９６１は、被写体の光学像を撮像部９６２の撮像面に結像させる。撮像部９６２は、CCD（Charge Coupled Device）又はCMOS（Complementary Metal Oxide Semiconductor）などのイメージセンサを有し、撮像面に結像した光学像を光電変換によって電気信号としての画像信号に変換する。そして、撮像部９６２は、画像信号を信号処理部９６３へ出力する。
【０２３４】
信号処理部９６３は、撮像部９６２から入力される画像信号に対してニー補正、ガンマ補正、色補正などの種々のカメラ信号処理を行う。信号処理部９６３は、カメラ信号処理後の画像データを画像処理部９６４へ出力する。
【０２３５】
画像処理部９６４は、信号処理部９６３から入力される画像データを符号化し、符号化データを生成する。そして、画像処理部９６４は、生成した符号化データを外部インタフェース部９６６またはメディアドライブ９６８へ出力する。また、画像処理部９６４は、外部インタフェース部９６６またはメディアドライブ９６８から入力される符号化データを復号し、画像データを生成する。そして、画像処理部９６４は、生成した画像データを表示部９６５へ出力する。また、画像処理部９６４は、信号処理部９６３から入力される画像データを表示部９６５へ出力して画像を表示させてもよい。また、画像処理部９６４は、OSD９６９から取得される表示用データを、表示部９６５へ出力する画像に重畳してもよい。
【０２３６】
OSD９６９は、例えばメニュー、ボタン又はカーソルなどのGUIの画像を生成して、生成した画像を画像処理部９６４へ出力する。
【０２３７】
外部インタフェース部９６６は、例えばUSB入出力端子として構成される。外部インタフェース部９６６は、例えば、画像の印刷時に、撮像装置９６０とプリンタとを接続する。また、外部インタフェース部９６６には、必要に応じてドライブが接続される。ドライブには、例えば、磁気ディスク又は光ディスクなどのリムーバブルメディアが装着され、リムーバブルメディアから読み出されるプログラムが、撮像装置９６０にインストールされ得る。さらに、外部インタフェース部９６６は、LAN又はインターネットなどのネットワークに接続されるネットワークインタフェースとして構成されてもよい。即ち、外部インタフェース部９６６は、撮像装置９６０における伝送部としての役割を有する。
【０２３８】
メディアドライブ９６８に装着される記録媒体は、例えば、磁気ディスク、光磁気ディスク、光ディスク、又は半導体メモリなどの、読み書き可能な任意のリムーバブルメディアであってよい。また、メディアドライブ９６８に記録媒体が固定的に装着され、例えば、内蔵型ハードディスクドライブ又はSSD（Solid State Drive）のような非可搬性の記憶部が構成されてもよい。
【０２３９】
制御部９７０は、CPUなどのプロセッサ、並びにRAM及びROMなどのメモリを有する。メモリは、CPUにより実行されるプログラム、及びプログラムデータなどを記憶する。メモリにより記憶されるプログラムは、例えば、撮像装置９６０の起動時にCPUにより読み込まれ、実行される。CPUは、プログラムを実行することにより、例えばユーザインタフェース部９７１から入力される操作信号に応じて、撮像装置９６０の動作を制御する。
【０２４０】
ユーザインタフェース部９７１は、制御部９７０と接続される。ユーザインタフェース部９７１は、例えば、ユーザが撮像装置９６０を操作するためのボタン及びスイッチなどを有する。ユーザインタフェース部９７１は、これら構成要素を介してユーザによる操作を検出して操作信号を生成し、生成した操作信号を制御部９７０へ出力する。
【０２４１】
このように構成された撮像装置９６０において、例えば画像処理部９６４が、画像復号装置１００または画像復号装置３００の機能を有するようにしてもよい。つまり、画像処理部９６４が、符号化データを第１および第２の実施の形態において説明した方法で復号するようにしてもよい。このようにすることにより、撮像装置９６０は、符号化データの復号処理をより効率よく行うことができる。
【０２４２】
なお、本技術は、予め用意された解像度等が互いに異なる複数の符号化データの中から適切なものをセグメント単位で選択して使用する、例えばMPEG DASH等のようなHTTPストリーミングにも適用することができる。つまり、このような複数の符号化データ間で、符号化や復号に関する情報を共有することもできる。
【０２４３】
＜７．第７の実施の形態＞
＜実施のその他の例＞
以上において本技術を適用する装置やシステム等の例を説明したが、本技術は、これに限らず、このような装置またはシステムを構成する装置に搭載するあらゆる構成、例えば、システムLSI（Large Scale Integration）等としてのプロセッサ、複数のプロセッサ等を用いるモジュール、複数のモジュール等を用いるユニット、ユニットにさらにその他の機能を付加したセット等（すなわち、装置の一部の構成）として実施することもできる。
【０２４４】
＜ビデオセット＞
本技術をセットとして実施する場合の例について、図３０を参照して説明する。図３０は、本技術を適用したビデオセットの概略的な構成の一例を示している。
【０２４５】
近年、電子機器の多機能化が進んでおり、その開発や製造において、その一部の構成を販売や提供等として実施する場合、１機能を有する構成として実施を行う場合だけでなく、関連する機能を有する複数の構成を組み合わせ、複数の機能を有する１セットとして実施を行う場合も多く見られるようになってきた。
【０２４６】
図３０に示されるビデオセット１３００は、このような多機能化された構成であり、画像の符号化や復号（いずれか一方でもよいし、両方でも良い）に関する機能を有するデバイスに、その機能に関連するその他の機能を有するデバイスを組み合わせたものである。
【０２４７】
図３０に示されるように、ビデオセット１３００は、ビデオモジュール１３１１、外部メモリ１３１２、パワーマネージメントモジュール１３１３、およびフロントエンドモジュール１３１４等のモジュール群と、コネクティビティ１３２１、カメラ１３２２、およびセンサ１３２３等の関連する機能を有するデバイスとを有する。
【０２４８】
モジュールは、互いに関連するいくつかの部品的機能をまとめ、まとまりのある機能を持った部品としたものである。具体的な物理的構成は任意であるが、例えば、それぞれ機能を有する複数のプロセッサ、抵抗やコンデンサ等の電子回路素子、その他のデバイス等を配線基板等に配置して一体化したものが考えられる。また、モジュールに他のモジュールやプロセッサ等を組み合わせて新たなモジュールとすることも考えられる。
【０２４９】
図３０の例の場合、ビデオモジュール１３１１は、画像処理に関する機能を有する構成を組み合わせたものであり、アプリケーションプロセッサ、ビデオプロセッサ、ブロードバンドモデム１３３３、およびRFモジュール１３３４を有する。
【０２５０】
プロセッサは、所定の機能を有する構成をSoC（System On a Chip）により半導体チップに集積したものであり、例えばシステムLSI（Large Scale Integration）等と称されるものもある。この所定の機能を有する構成は、論理回路（ハードウエア構成）であってもよいし、CPU、ROM、RAM等と、それらを用いて実行されるプログラム（ソフトウエア構成）であってもよいし、その両方を組み合わせたものであってもよい。例えば、プロセッサが、論理回路とCPU、ROM、RAM等とを有し、機能の一部を論理回路（ハードウエア構成）により実現し、その他の機能をCPUにおいて実行されるプログラム（ソフトウエア構成）により実現するようにしてもよい。
【０２５１】
図３０のアプリケーションプロセッサ１３３１は、画像処理に関するアプリケーションを実行するプロセッサである。このアプリケーションプロセッサ１３３１において実行されるアプリケーションは、所定の機能を実現するために、演算処理を行うだけでなく、例えばビデオプロセッサ１３３２等、ビデオモジュール１３１１内外の構成を必要に応じて制御することもできる。
【０２５２】
ビデオプロセッサ１３３２は、画像の符号化・復号（その一方若しくは両方）に関する機能を有するプロセッサである。
【０２５３】
ブロードバンドモデム１３３３は、インターネットや公衆電話回線網等の広帯域の回線を介して行われる有線若しくは無線（またはその両方）の広帯域通信により送信するデータ（デジタル信号）をデジタル変調する等してアナログ信号に変換したり、その広帯域通信により受信したアナログ信号を復調してデータ（デジタル信号）に変換したりする。ブロードバンドモデム１３３３は、例えば、ビデオプロセッサ１３３２が処理する画像データ、画像データが符号化されたストリーム、アプリケーションプログラム、設定データ等、任意の情報を処理する。
【０２５４】
RFモジュール１３３４は、アンテナを介して送受信されるRF（Radio Frequency）信号に対して、周波数変換、変復調、増幅、フィルタ処理等を行うモジュールである。例えば、RFモジュール１３３４は、ブロードバンドモデム１３３３により生成されたベースバンド信号に対して周波数変換等を行ってRF信号を生成する。また、例えば、RFモジュール１３３４は、フロントエンドモジュール１３１４を介して受信されたRF信号に対して周波数変換等を行ってベースバンド信号を生成する。
【０２５５】
なお、図３０において点線１３４１に示されるように、アプリケーションプロセッサ１３３１とビデオプロセッサ１３３２を、一体化し、１つのプロセッサとして構成されるようにしてもよい。
【０２５６】
外部メモリ１３１２は、ビデオモジュール１３１１の外部に設けられた、ビデオモジュール１３１１により利用される記憶デバイスを有するモジュールである。この外部メモリ１３１２の記憶デバイスは、どのような物理構成により実現するようにしてもよいが、一般的にフレーム単位の画像データのような大容量のデータの格納に利用されることが多いので、例えばDRAM（Dynamic Random Access Memory）のような比較的安価で大容量の半導体メモリにより実現するのが望ましい。
【０２５７】
パワーマネージメントモジュール１３１３は、ビデオモジュール１３１１（ビデオモジュール１３１１内の各構成）への電力供給を管理し、制御する。
【０２５８】
フロントエンドモジュール１３１４は、RFモジュール１３３４に対してフロントエンド機能（アンテナ側の送受信端の回路）を提供するモジュールである。図３０に示されるように、フロントエンドモジュール１３１４は、例えば、アンテナ部１３５１、フィルタ１３５２、および増幅部１３５３を有する。
【０２５９】
アンテナ部１３５１は、無線信号を送受信するアンテナおよびその周辺の構成を有する。アンテナ部１３５１は、増幅部１３５３から供給される信号を無線信号として送信し、受信した無線信号を電気信号（RF信号）としてフィルタ１３５２に供給する。フィルタ１３５２は、アンテナ部１３５１を介して受信されたRF信号に対してフィルタ処理等を行い、処理後のRF信号をRFモジュール１３３４に供給する。増幅部１３５３は、RFモジュール１３３４から供給されるRF信号を増幅し、アンテナ部１３５１に供給する。
【０２６０】
コネクティビティ１３２１は、外部との接続に関する機能を有するモジュールである。コネクティビティ１３２１の物理構成は、任意である。例えば、コネクティビティ１３２１は、ブロードバンドモデム１３３３が対応する通信規格以外の通信機能を有する構成や、外部入出力端子等を有する。
【０２６１】
例えば、コネクティビティ１３２１が、Bluetooth（登録商標）、IEEE 802.11（例えばWi-Fi（Wireless Fidelity、登録商標））、NFC（Near Field Communication）、IrDA（InfraRed Data Association）等の無線通信規格に準拠する通信機能を有するモジュールや、その規格に準拠した信号を送受信するアンテナ等を有するようにしてもよい。また、例えば、コネクティビティ１３２１が、USB（Universal Serial Bus）、HDMI（登録商標）（High-Definition Multimedia Interface）等の有線通信規格に準拠する通信機能を有するモジュールや、その規格に準拠した端子を有するようにしてもよい。さらに、例えば、コネクティビティ１３２１が、アナログ入出力端子等のその他のデータ（信号）伝送機能等を有するようにしてもよい。
【０２６２】
なお、コネクティビティ１３２１が、データ（信号）の伝送先のデバイスを含むようにしてもよい。例えば、コネクティビティ１３２１が、磁気ディスク、光ディスク、光磁気ディスク、または半導体メモリ等の記録媒体に対してデータの読み出しや書き込みを行うドライブ（リムーバブルメディアのドライブだけでなく、ハードディスク、SSD（Solid State Drive）、NAS（Network Attached Storage）等も含む）を有するようにしてもよい。また、コネクティビティ１３２１が、画像や音声の出力デバイス（モニタやスピーカ等）を有するようにしてもよい。
【０２６３】
カメラ１３２２は、被写体を撮像し、被写体の画像データを得る機能を有するモジュールである。カメラ１３２２の撮像により得られた画像データは、例えば、ビデオプロセッサ１３３２に供給されて符号化される。
【０２６４】
センサ１３２３は、例えば、音声センサ、超音波センサ、光センサ、照度センサ、赤外線センサ、イメージセンサ、回転センサ、角度センサ、角速度センサ、速度センサ、加速度センサ、傾斜センサ、磁気識別センサ、衝撃センサ、温度センサ等、任意のセンサ機能を有するモジュールである。センサ１３２３により検出されたデータは、例えば、アプリケーションプロセッサ１３３１に供給されてアプリケーション等により利用される。
【０２６５】
以上においてモジュールとして説明した構成をプロセッサとして実現するようにしてもよいし、逆にプロセッサとして説明した構成をモジュールとして実現するようにしてもよい。
【０２６６】
以上のような構成のビデオセット１３００において、後述するようにビデオプロセッサ１３３２に本技術を適用することができる。したがって、ビデオセット１３００は、本技術を適用したセットとして実施することができる。
【０２６７】
＜ビデオプロセッサの構成例＞
図３１は、本技術を適用したビデオプロセッサ１３３２（図３０）の概略的な構成の一例を示している。
【０２６８】
図３１の例の場合、ビデオプロセッサ１３３２は、ビデオ信号およびオーディオ信号の入力を受けてこれらを所定の方式で符号化する機能と、符号化されたビデオデータおよびオーディオデータを復号し、ビデオ信号およびオーディオ信号を再生出力する機能とを有する。
【０２６９】
図３１に示されるように、ビデオプロセッサ１３３２は、ビデオ入力処理部１４０１、第１画像拡大縮小部１４０２、第２画像拡大縮小部１４０３、ビデオ出力処理部１４０４、フレームメモリ１４０５、およびメモリ制御部１４０６を有する。また、ビデオプロセッサ１３３２は、エンコード・デコードエンジン１４０７、ビデオES（Elementary Stream）バッファ１４０８Ａおよび１４０８Ｂ、並びに、オーディオESバッファ１４０９Ａおよび１４０９Ｂを有する。さらに、ビデオプロセッサ１３３２は、オーディオエンコーダ１４１０、オーディオデコーダ１４１１、多重化部（MUX（Multiplexer））１４１２、逆多重化部（DMUX（Demultiplexer））１４１３、およびストリームバッファ１４１４を有する。
【０２７０】
ビデオ入力処理部１４０１は、例えばコネクティビティ１３２１（図３０）等から入力されたビデオ信号を取得し、デジタル画像データに変換する。第１画像拡大縮小部１４０２は、画像データに対してフォーマット変換や画像の拡大縮小処理等を行う。第２画像拡大縮小部１４０３は、画像データに対して、ビデオ出力処理部１４０４を介して出力する先でのフォーマットに応じて画像の拡大縮小処理を行ったり、第１画像拡大縮小部１４０２と同様のフォーマット変換や画像の拡大縮小処理等を行ったりする。ビデオ出力処理部１４０４は、画像データに対して、フォーマット変換やアナログ信号への変換等を行って、再生されたビデオ信号として例えばコネクティビティ１３２１等に出力する。
【０２７１】
フレームメモリ１４０５は、ビデオ入力処理部１４０１、第１画像拡大縮小部１４０２、第２画像拡大縮小部１４０３、ビデオ出力処理部１４０４、およびエンコード・デコードエンジン１４０７によって共用される画像データ用のメモリである。フレームメモリ１４０５は、例えばDRAM等の半導体メモリとして実現される。
【０２７２】
メモリ制御部１４０６は、エンコード・デコードエンジン１４０７からの同期信号を受けて、アクセス管理テーブル１４０６Ａに書き込まれたフレームメモリ１４０５へのアクセススケジュールに従ってフレームメモリ１４０５に対する書き込み・読み出しのアクセスを制御する。アクセス管理テーブル１４０６Ａは、エンコード・デコードエンジン１４０７、第１画像拡大縮小部１４０２、第２画像拡大縮小部１４０３等で実行される処理に応じて、メモリ制御部１４０６により更新される。
【０２７３】
エンコード・デコードエンジン１４０７は、画像データのエンコード処理、並びに、画像データが符号化されたデータであるビデオストリームのデコード処理を行う。例えば、エンコード・デコードエンジン１４０７は、フレームメモリ１４０５から読み出した画像データを符号化し、ビデオストリームとしてビデオESバッファ１４０８Ａに順次書き込む。また、例えば、ビデオESバッファ１４０８Ｂからビデオストリームを順次読み出して復号し、画像データとしてフレームメモリ１４０５に順次書き込む。エンコード・デコードエンジン１４０７は、これらの符号化や復号において、フレームメモリ１４０５を作業領域として使用する。また、エンコード・デコードエンジン１４０７は、例えばマクロブロック毎の処理を開始するタイミングで、メモリ制御部１４０６に対して同期信号を出力する。
【０２７４】
ビデオESバッファ１４０８Ａは、エンコード・デコードエンジン１４０７によって生成されたビデオストリームをバッファリングして、多重化部（MUX）１４１２に供給する。ビデオESバッファ１４０８Ｂは、逆多重化部（DMUX）１４１３から供給されたビデオストリームをバッファリングして、エンコード・デコードエンジン１４０７に供給する。
【０２７５】
オーディオESバッファ１４０９Ａは、オーディオエンコーダ１４１０によって生成されたオーディオストリームをバッファリングして、多重化部（MUX）１４１２に供給する。オーディオESバッファ１４０９Ｂは、逆多重化部（DMUX）１４１３から供給されたオーディオストリームをバッファリングして、オーディオデコーダ１４１１に供給する。
【０２７６】
オーディオエンコーダ１４１０は、例えばコネクティビティ１３２１等から入力されたオーディオ信号を例えばデジタル変換し、例えばMPEGオーディオ方式やAC3（AudioCode number 3）方式等の所定の方式で符号化する。オーディオエンコーダ１４１０は、オーディオ信号が符号化されたデータであるオーディオストリームをオーディオESバッファ１４０９Ａに順次書き込む。オーディオデコーダ１４１１は、オーディオESバッファ１４０９Ｂから供給されたオーディオストリームを復号し、例えばアナログ信号への変換等を行って、再生されたオーディオ信号として例えばコネクティビティ１３２１等に供給する。
【０２７７】
多重化部（MUX）１４１２は、ビデオストリームとオーディオストリームとを多重化する。この多重化の方法（すなわち、多重化により生成されるビットストリームのフォーマット）は任意である。また、この多重化の際に、多重化部（MUX）１４１２は、所定のヘッダ情報等をビットストリームに付加することもできる。つまり、多重化部（MUX）１４１２は、多重化によりストリームのフォーマットを変換することができる。例えば、多重化部（MUX）１４１２は、ビデオストリームとオーディオストリームとを多重化することにより、転送用のフォーマットのビットストリームであるトランスポートストリームに変換する。また、例えば、多重化部（MUX）１４１２は、ビデオストリームとオーディオストリームとを多重化することにより、記録用のファイルフォーマットのデータ（ファイルデータ）に変換する。
【０２７８】
逆多重化部（DMUX）１４１３は、多重化部（MUX）１４１２による多重化に対応する方法で、ビデオストリームとオーディオストリームとが多重化されたビットストリームを逆多重化する。つまり、逆多重化部（DMUX）１４１３は、ストリームバッファ１４１４から読み出されたビットストリームからビデオストリームとオーディオストリームとを抽出する（ビデオストリームとオーディオストリームとを分離する）。つまり、逆多重化部（DMUX）１４１３は、逆多重化によりストリームのフォーマットを変換（多重化部（MUX）１４１２による変換の逆変換）することができる。例えば、逆多重化部（DMUX）１４１３は、例えばコネクティビティ１３２１やブロードバンドモデム１３３３等から供給されたトランスポートストリームを、ストリームバッファ１４１４を介して取得し、逆多重化することにより、ビデオストリームとオーディオストリームとに変換することができる。また、例えば、逆多重化部（DMUX）１４１３は、例えばコネクティビティ１３２１により各種記録媒体から読み出されたファイルデータを、ストリームバッファ１４１４を介して取得し、逆多重化することにより、ビデオストリームとオーディオストリームとに変換することができる。
【０２７９】
ストリームバッファ１４１４は、ビットストリームをバッファリングする。例えば、ストリームバッファ１４１４は、多重化部（MUX）１４１２から供給されたトランスポートストリームをバッファリングし、所定のタイミングにおいて、若しくは外部からの要求等に基づいて、例えばコネクティビティ１３２１やブロードバンドモデム１３３３等に供給する。
【０２８０】
また、例えば、ストリームバッファ１４１４は、多重化部（MUX）１４１２から供給されたファイルデータをバッファリングし、所定のタイミングにおいて、若しくは外部からの要求等に基づいて、例えばコネクティビティ１３２１等に供給し、各種記録媒体に記録させる。
【０２８１】
さらに、ストリームバッファ１４１４は、例えばコネクティビティ１３２１やブロードバンドモデム１３３３等を介して取得したトランスポートストリームをバッファリングし、所定のタイミングにおいて、若しくは外部からの要求等に基づいて、逆多重化部（DMUX）１４１３に供給する。
【０２８２】
また、ストリームバッファ１４１４は、例えばコネクティビティ１３２１等において各種記録媒体から読み出されたファイルデータをバッファリングし、所定のタイミングにおいて、若しくは外部からの要求等に基づいて、逆多重化部（DMUX）１４１３に供給する。
【０２８３】
次に、このような構成のビデオプロセッサ１３３２の動作の例について説明する。例えば、コネクティビティ１３２１等からビデオプロセッサ１３３２に入力されたビデオ信号は、ビデオ入力処理部１４０１において４：２：２Ｙ／Ｃｂ／Ｃｒ方式等の所定の方式のデジタル画像データに変換され、フレームメモリ１４０５に順次書き込まれる。このデジタル画像データは、第１画像拡大縮小部１４０２または第２画像拡大縮小部１４０３に読み出されて、４：２：０Ｙ／Ｃｂ／Ｃｒ方式等の所定の方式へのフォーマット変換および拡大縮小処理が行われ、再びフレームメモリ１４０５に書き込まれる。この画像データは、エンコード・デコードエンジン１４０７によって符号化され、ビデオストリームとしてビデオESバッファ１４０８Ａに書き込まれる。
【０２８４】
また、コネクティビティ１３２１等からビデオプロセッサ１３３２に入力されたオーディオ信号は、オーディオエンコーダ１４１０によって符号化され、オーディオストリームとして、オーディオESバッファ１４０９Ａに書き込まれる。
【０２８５】
ビデオESバッファ１４０８Ａのビデオストリームと、オーディオESバッファ１４０９Ａのオーディオストリームは、多重化部（MUX）１４１２に読み出されて多重化され、トランスポートストリーム若しくはファイルデータ等に変換される。多重化部（MUX）１４１２により生成されたトランスポートストリームは、ストリームバッファ１４１４にバッファされた後、例えばコネクティビティ１３２１やブロードバンドモデム１３３３等を介して外部ネットワークに出力される。また、多重化部（MUX）１４１２により生成されたファイルデータは、ストリームバッファ１４１４にバッファされた後、例えばコネクティビティ１３２１等に出力され、各種記録媒体に記録される。
【０２８６】
また、例えばコネクティビティ１３２１やブロードバンドモデム１３３３等を介して外部ネットワークからビデオプロセッサ１３３２に入力されたトランスポートストリームは、ストリームバッファ１４１４にバッファされた後、逆多重化部（DMUX）１４１３により逆多重化される。また、例えばコネクティビティ１３２１等において各種記録媒体から読み出され、ビデオプロセッサ１３３２に入力されたファイルデータは、ストリームバッファ１４１４にバッファされた後、逆多重化部（DMUX）１４１３により逆多重化される。つまり、ビデオプロセッサ１３３２に入力されたトランスポートストリームまたはファイルデータは、逆多重化部（DMUX）１４１３によりビデオストリームとオーディオストリームとに分離される。
【０２８７】
オーディオストリームは、オーディオESバッファ１４０９Ｂを介してオーディオデコーダ１４１１に供給され、復号されてオーディオ信号が再生される。また、ビデオストリームは、ビデオESバッファ１４０８Ｂに書き込まれた後、エンコード・デコードエンジン１４０７により順次読み出されて復号されてフレームメモリ１４０５に書き込まれる。復号された画像データは、第２画像拡大縮小部１４０３によって拡大縮小処理されて、フレームメモリ１４０５に書き込まれる。そして、復号された画像データは、ビデオ出力処理部１４０４に読み出されて、４：２：２Ｙ／Ｃｂ／Ｃｒ方式等の所定の方式にフォーマット変換され、さらにアナログ信号に変換されて、ビデオ信号が再生出力される。
【０２８８】
このように構成されるビデオプロセッサ１３３２に本技術を適用する場合、エンコード・デコードエンジン１４０７に、上述した各実施形態に係る本技術を適用すればよい。つまり、例えば、エンコード・デコードエンジン１４０７が、上述した画像復号装置１００または画像復号装置３００の機能を有するようにすればよい。このようにすることにより、ビデオプロセッサ１３３２は、図１乃至図１５を参照して上述した効果と同様の効果を得ることができる。
【０２８９】
なお、エンコード・デコードエンジン１４０７において、本技術（すなわち、画像復号装置１００または画像復号装置３００の機能）は、論理回路等のハードウエアにより実現するようにしてもよいし、組み込みプログラム等のソフトウエアにより実現するようにしてもよいし、それらの両方により実現するようにしてもよい。
【０２９０】
＜ビデオプロセッサの他の構成例＞
図３２は、本技術を適用したビデオプロセッサ１３３２の概略的な構成の他の例を示している。図３２の例の場合、ビデオプロセッサ１３３２は、ビデオデータを所定の方式で符号化・復号する機能を有する。
【０２９１】
より具体的には、図３２に示されるように、ビデオプロセッサ１３３２は、制御部１５１１、ディスプレイインタフェース１５１２、ディスプレイエンジン１５１３、画像処理エンジン１５１４、および内部メモリ１５１５を有する。また、ビデオプロセッサ１３３２は、コーデックエンジン１５１６、メモリインタフェース１５１７、多重化・逆多重化部（MUX DMUX）１５１８、ネットワークインタフェース１５１９、およびビデオインタフェース１５２０を有する。
【０２９２】
制御部１５１１は、ディスプレイインタフェース１５１２、ディスプレイエンジン１５１３、画像処理エンジン１５１４、およびコーデックエンジン１５１６等、ビデオプロセッサ１３３２内の各処理部の動作を制御する。
【０２９３】
図３２に示されるように、制御部１５１１は、例えば、メインCPU１５３１、サブCPU１５３２、およびシステムコントローラ１５３３を有する。メインCPU１５３１は、ビデオプロセッサ１３３２内の各処理部の動作を制御するためのプログラム等を実行する。メインCPU１５３１は、そのプログラム等に従って制御信号を生成し、各処理部に供給する（つまり、各処理部の動作を制御する）。サブCPU１５３２は、メインCPU１５３１の補助的な役割を果たす。例えば、サブCPU１５３２は、メインCPU１５３１が実行するプログラム等の子プロセスやサブルーチン等を実行する。システムコントローラ１５３３は、メインCPU１５３１およびサブCPU１５３２が実行するプログラムを指定する等、メインCPU１５３１およびサブCPU１５３２の動作を制御する。
【０２９４】
ディスプレイインタフェース１５１２は、制御部１５１１の制御の下、画像データを例えばコネクティビティ１３２１等に出力する。例えば、ディスプレイインタフェース１５１２は、デジタルデータの画像データをアナログ信号に変換し、再生されたビデオ信号として、またはデジタルデータの画像データのまま、コネクティビティ１３２１のモニタ装置等に出力する。
【０２９５】
ディスプレイエンジン１５１３は、制御部１５１１の制御の下、画像データに対して、その画像を表示させるモニタ装置等のハードウエアスペックに合わせるように、フォーマット変換、サイズ変換、色域変換等の各種変換処理を行う。
【０２９６】
画像処理エンジン１５１４は、制御部１５１１の制御の下、画像データに対して、例えば画質改善のためのフィルタ処理等、所定の画像処理を施す。
【０２９７】
内部メモリ１５１５は、ディスプレイエンジン１５１３、画像処理エンジン１５１４、およびコーデックエンジン１５１６により共用される、ビデオプロセッサ１３３２の内部に設けられたメモリである。内部メモリ１５１５は、例えば、ディスプレイエンジン１５１３、画像処理エンジン１５１４、およびコーデックエンジン１５１６の間で行われるデータの授受に利用される。例えば、内部メモリ１５１５は、ディスプレイエンジン１５１３、画像処理エンジン１５１４、またはコーデックエンジン１５１６から供給されるデータを格納し、必要に応じて（例えば、要求に応じて）、そのデータを、ディスプレイエンジン１５１３、画像処理エンジン１５１４、またはコーデックエンジン１５１６に供給する。この内部メモリ１５１５は、どのような記憶デバイスにより実現するようにしてもよいが、一般的にブロック単位の画像データやパラメータ等といった小容量のデータの格納に利用することが多いので、例えばSRAM（Static Random Access Memory）のような比較的（例えば外部メモリ１３１２と比較して）小容量だが応答速度が高速な半導体メモリにより実現するのが望ましい。
【０２９８】
コーデックエンジン１５１６は、画像データの符号化や復号に関する処理を行う。このコーデックエンジン１５１６が対応する符号化・復号の方式は任意であり、その数は１つであってもよいし、複数であってもよい。例えば、コーデックエンジン１５１６は、複数の符号化・復号方式のコーデック機能を備え、その中から選択されたもので画像データの符号化若しくは符号化データの復号を行うようにしてもよい。
【０２９９】
図３２に示される例において、コーデックエンジン１５１６は、コーデックに関する処理の機能ブロックとして、例えば、MPEG-2 Video１５４１、AVC/H.264１５４２、HEVC/H.265１５４３、HEVC/H.265(Scalable)１５４４、HEVC/H.265(Multi-view)１５４５、およびMPEG-DASH１５５１を有する。
【０３００】
MPEG-2 Video１５４１は、画像データをMPEG-2方式で符号化したり復号したりする機能ブロックである。AVC/H.264１５４２は、画像データをAVC方式で符号化したり復号したりする機能ブロックである。HEVC/H.265１５４３は、画像データをHEVC方式で符号化したり復号したりする機能ブロックである。HEVC/H.265(Scalable)１５４４は、画像データをHEVC方式でスケーラブル符号化したりスケーラブル復号したりする機能ブロックである。HEVC/H.265(Multi-view)１５４５は、画像データをHEVC方式で多視点符号化したり多視点復号したりする機能ブロックである。
【０３０１】
MPEG-DASH１５５１は、画像データをMPEG-DASH（MPEG-Dynamic Adaptive Streaming over HTTP）方式で送受信する機能ブロックである。MPEG-DASHは、HTTP（HyperText Transfer Protocol）を使ってビデオのストリーミングを行う技術であり、予め用意された解像度等が互いに異なる複数の符号化データの中から適切なものをセグメント単位で選択し伝送することを特徴の１つとする。MPEG-DASH１５５１は、規格に準拠するストリームの生成やそのストリームの伝送制御等を行い、画像データの符号化・復号については、上述したMPEG-2 Video１５４１乃至HEVC/H.265(Multi-view)１５４５を利用する。
【０３０２】
メモリインタフェース１５１７は、外部メモリ１３１２用のインタフェースである。画像処理エンジン１５１４やコーデックエンジン１５１６から供給されるデータは、メモリインタフェース１５１７を介して外部メモリ１３１２に供給される。また、外部メモリ１３１２から読み出されたデータは、メモリインタフェース１５１７を介してビデオプロセッサ１３３２（画像処理エンジン１５１４若しくはコーデックエンジン１５１６）に供給される。
【０３０３】
多重化・逆多重化部（MUX DMUX）１５１８は、符号化データのビットストリーム、画像データ、ビデオ信号等、画像に関する各種データの多重化や逆多重化を行う。この多重化・逆多重化の方法は任意である。例えば、多重化の際に、多重化・逆多重化部（MUX DMUX）１５１８は、複数のデータを１つにまとめるだけでなく、所定のヘッダ情報等をそのデータに付加することもできる。また、逆多重化の際に、多重化・逆多重化部（MUX DMUX）１５１８は、１つのデータを複数に分割するだけでなく、分割した各データに所定のヘッダ情報等を付加することもできる。つまり、多重化・逆多重化部（MUX DMUX）１５１８は、多重化・逆多重化によりデータのフォーマットを変換することができる。例えば、多重化・逆多重化部（MUX DMUX）１５１８は、ビットストリームを多重化することにより、転送用のフォーマットのビットストリームであるトランスポートストリームや、記録用のファイルフォーマットのデータ（ファイルデータ）に変換することができる。もちろん、逆多重化によりその逆変換も可能である。
【０３０４】
ネットワークインタフェース１５１９は、例えばブロードバンドモデム１３３３やコネクティビティ１３２１等向けのインタフェースである。ビデオインタフェース１５２０は、例えばコネクティビティ１３２１やカメラ１３２２等向けのインタフェースである。
【０３０５】
次に、このようなビデオプロセッサ１３３２の動作の例について説明する。例えば、コネクティビティ１３２１やブロードバンドモデム１３３３等を介して外部ネットワークからトランスポートストリームを受信すると、そのトランスポートストリームは、ネットワークインタフェース１５１９を介して多重化・逆多重化部（MUX DMUX）１５１８に供給されて逆多重化され、コーデックエンジン１５１６により復号される。コーデックエンジン１５１６の復号により得られた画像データは、例えば、画像処理エンジン１５１４により所定の画像処理が施され、ディスプレイエンジン１５１３により所定の変換が行われ、ディスプレイインタフェース１５１２を介して例えばコネクティビティ１３２１等に供給され、その画像がモニタに表示される。また、例えば、コーデックエンジン１５１６の復号により得られた画像データは、コーデックエンジン１５１６により再符号化され、多重化・逆多重化部（MUX DMUX）１５１８により多重化されてファイルデータに変換され、ビデオインタフェース１５２０を介して例えばコネクティビティ１３２１等に出力され、各種記録媒体に記録される。
【０３０６】
さらに、例えば、コネクティビティ１３２１等により図示せぬ記録媒体から読み出された、画像データが符号化された符号化データのファイルデータは、ビデオインタフェース１５２０を介して多重化・逆多重化部（MUX DMUX）１５１８に供給されて逆多重化され、コーデックエンジン１５１６により復号される。コーデックエンジン１５１６の復号により得られた画像データは、画像処理エンジン１５１４により所定の画像処理が施され、ディスプレイエンジン１５１３により所定の変換が行われ、ディスプレイインタフェース１５１２を介して例えばコネクティビティ１３２１等に供給され、その画像がモニタに表示される。また、例えば、コーデックエンジン１５１６の復号により得られた画像データは、コーデックエンジン１５１６により再符号化され、多重化・逆多重化部（MUX DMUX）１５１８により多重化されてトランスポートストリームに変換され、ネットワークインタフェース１５１９を介して例えばコネクティビティ１３２１やブロードバンドモデム１３３３等に供給され図示せぬ他の装置に伝送される。
【０３０７】
なお、ビデオプロセッサ１３３２内の各処理部の間での画像データやその他のデータの授受は、例えば、内部メモリ１５１５や外部メモリ１３１２を利用して行われる。また、パワーマネージメントモジュール１３１３は、例えば制御部１５１１への電力供給を制御する。
【０３０８】
このように構成されるビデオプロセッサ１３３２に本技術を適用する場合、コーデックエンジン１５１６に、上述した各実施形態に係る本技術を適用すればよい。つまり、例えば、コーデックエンジン１５１６が、上述した画像復号装置１００または画像復号装置３００を実現する機能ブロックを有するようにすればよい。このようにすることにより、ビデオプロセッサ１３３２は、図１乃至図１５を参照して上述した効果と同様の効果を得ることができる。
【０３０９】
なお、コーデックエンジン１５１６において、本技術（すなわち、画像復号装置１００の機能）は、論理回路等のハードウエアにより実現するようにしてもよいし、組み込みプログラム等のソフトウエアにより実現するようにしてもよいし、それらの両方により実現するようにしてもよい。
【０３１０】
以上にビデオプロセッサ１３３２の構成を２例示したが、ビデオプロセッサ１３３２の構成は任意であり、上述した２例以外のものであってもよい。また、このビデオプロセッサ１３３２は、１つの半導体チップとして構成されるようにしてもよいが、複数の半導体チップとして構成されるようにしてもよい。例えば、複数の半導体を積層する３次元積層LSIとしてもよい。また、複数のLSIにより実現されるようにしてもよい。
【０３１１】
＜装置への適用例＞
ビデオセット１３００は、画像データを処理する各種装置に組み込むことができる。例えば、ビデオセット１３００は、テレビジョン装置９００（図２６）、携帯電話機９２０（図２７）、記録再生装置９４０（図２８）、撮像装置９６０（図２９）等に組み込むことができる。ビデオセット１３００を組み込むことにより、その装置は、図１乃至図１５を参照して上述した効果と同様の効果を得ることができる。
【０３１２】
なお、上述したビデオセット１３００の各構成の一部であっても、ビデオプロセッサ１３３２を含むものであれば、本技術を適用した構成として実施することができる。例えば、ビデオプロセッサ１３３２のみを本技術を適用したビデオプロセッサとして実施することができる。また、例えば、上述したように点線１３４１により示されるプロセッサやビデオモジュール１３１１等を、本技術を適用したプロセッサやモジュール等として実施することができる。さらに、例えば、ビデオモジュール１３１１、外部メモリ１３１２、パワーマネージメントモジュール１３１３、およびフロントエンドモジュール１３１４を組み合わせ、本技術を適用したビデオユニット１３６１として実施することもできる。いずれの構成の場合であっても、図１乃至図１５を参照して上述した効果と同様の効果を得ることができる。
【０３１３】
つまり、ビデオプロセッサ１３３２を含むものであればどのような構成であっても、ビデオセット１３００の場合と同様に、画像データを処理する各種装置に組み込むことができる。例えば、ビデオプロセッサ１３３２、点線１３４１により示されるプロセッサ、ビデオモジュール１３１１、または、ビデオユニット１３６１を、テレビジョン装置９００（図２６）、携帯電話機９２０（図２７）、記録再生装置９４０（図２８）、撮像装置９６０（図２９）等に組み込むことができる。そして、本技術を適用したいずれかの構成を組み込むことにより、その装置は、ビデオセット１３００の場合と同様に、図１乃至図１５を参照して上述した効果と同様の効果を得ることができる。
【０３１４】
また、本明細書では、各種情報が、符号化ストリームに多重化されて、符号化側から復号側へ伝送される例について説明した。しかしながら、これら情報を伝送する手法はかかる例に限定されない。例えば、これら情報は、符号化ビットストリームに多重化されることなく、符号化ビットストリームと関連付けられた別個のデータとして伝送され又は記録されてもよい。ここで、「関連付ける」という用語は、ビットストリームに含まれる画像（スライス若しくはブロックなど、画像の一部であってもよい）と当該画像に対応する情報とを復号時にリンクさせ得るようにすることを意味する。即ち、情報は、画像（又はビットストリーム）とは別の伝送路上で伝送されてもよい。また、情報は、画像（又はビットストリーム）とは別の記録媒体（又は同一の記録媒体の別の記録エリア）に記録されてもよい。さらに、情報と画像（又はビットストリーム）とは、例えば、複数フレーム、１フレーム、又はフレーム内の一部分などの任意の単位で互いに関連付けられてよい。
【０３１５】
なお、本技術は以下のような構成も取ることができる。
（１）  画像データが符号化された符号化データを復号することにより、復号データを生成する復号部と、
前記符号化データのブロック構造に基づいて、前記復号部により生成された前記復号データに対してブロックサイズに応じた方法で行われる処理を、前記ブロックサイズ毎に独立に行う処理部と
を備える画像復号装置。
（２）  前記処理部は、量子化された前記復号データを逆量子化する逆量子化部を含む
（１）に記載の画像復号装置。
（３）  前記ブロック構造は、変換ユニットのサイズ毎の数と位置を示す情報であり、
前記逆量子化部は、前記変換ユニットのサイズ毎に独立に逆量子化を行う
（１）または（２）に記載の画像復号装置。
（４）  前記処理部は、直交変換された前記復号データを逆直交変換する逆直交変換部を含む
（１）乃至（３）のいずれかに記載の画像復号装置。
（５）  前記ブロック構造は、変換ユニットのサイズ毎の数と位置を示す情報であり、
前記逆直交変換部は、前記変換ユニットのサイズ毎に独立に逆直交変換を行う
（１）乃至（４）のいずれかに記載の画像復号装置。
（６）  前記処理部は、動き補償を行って予測画像を生成するインター予測部を含む
（１）乃至（５）のいずれかに記載の画像復号装置。
（７）  前記ブロック構造は、予測ユニットのサイズ毎の数と位置を示す情報であり、
前記インター予測部は、前記予測ユニットのサイズ毎に独立に動き補償を行う
（１）乃至（６）のいずれかに記載の画像復号装置。
（８）  前記ブロック構造は、符号化ユニットのサイズ毎の数と位置を示す情報であり、
前記インター予測部は、前記符号化ユニットのサイズ毎に独立に動き補償を行う
（１）乃至（７）のいずれかに記載の画像復号装置。
（９）  前記処理部は、前記ブロックサイズに応じた方法で行われる処理を、前記ブロックサイズ毎に、互いに並列に行う
（１）乃至（８）のいずれかに記載の画像復号装置。
（１０）  前記符号化データのブロック構造を解析する解析部をさらに備え、
前記処理部は、前記解析部による前記ブロック構造の解析結果に基づいて、前記ブロックサイズに応じた方法で行われる処理を、前記ブロックサイズ毎に独立に行う
（１）乃至（９）のいずれかに記載の画像復号装置。
（１１）  前記解析部は、前記符号化データの符号化ユニットについて、サイズ毎に発生数と発生位置とを求める
（１）乃至（１０）のいずれかに記載の画像復号装置。
（１２）  前記解析部は、前記符号化データの変換ユニットについて、サイズ毎に発生数と発生位置とを求める
（１）乃至（１１）のいずれかに記載の画像復号装置。
（１３）  前記解析部は、前記符号化データの予測ユニットについて、サイズ毎に発生数と発生位置とを求める
（１）乃至（１２）のいずれかに記載の画像復号装置。
（１４）  ブロックサイズ毎の処理負荷量に応じて、前記ブロックサイズに応じた方法で行われる処理の並列化を制御する並列制御部をさらに備える
（１）乃至（１３）のいずれかに記載の画像復号装置。
（１５）  前記並列制御部は、負荷量ができるだけ均等になるように、前記ブロックサイズに応じた方法で行われる処理を並列化させる
（１）乃至（１４）のいずれかに記載の画像復号装置。
（１６）  前記並列制御部は、環境に基づいてブロックサイズ毎の処理負荷量を求める
（１）乃至（１５）のいずれかに記載の画像復号装置。
（１７）  前記並列制御部は、キャリブレーション結果に基づいてブロックサイズ毎の処理負荷量を求める
（１）乃至（１６）のいずれかに記載の画像復号装置。
（１８）  画像データが符号化された符号化データを復号することにより、復号データを生成し、
前記符号化データのブロック構造に基づいて、生成された前記復号データに対してブロックサイズに応じた方法で行われる処理を、前記ブロックサイズ毎に独立に行う
画像復号方法。
【符号の説明】
【０３１６】
１００  画像復号装置，  １１２  可逆復号部，  １１３  ブロック解析部，  １１４  逆量子化部，  １１５  逆直交変換部，  １２１  インター予測部，  １３１  CU解析部，  １３２  TU解析部，  １３３  PU解析部
【図１】
0006528765.tif 000002
【図２】
0006528765.tif 000003
【図３】
0006528765.tif 000004
【図４】
0006528765.tif 000005
【図５】
0006528765.tif 000006
【図６】
0006528765.tif 000007
【図７】
0006528765.tif 000008
【図８】
0006528765.tif 000009
【図９】
0006528765.tif 000010
【図１０】
0006528765.tif 000011
【図１１】
0006528765.tif 000012
【図１２】
0006528765.tif 000013
【図１３】
0006528765.tif 000014
【図１４】
0006528765.tif 000015
【図１５】
0006528765.tif 000016
【図１６】
0006528765.tif 000017
【図１７】
0006528765.tif 000018
【図１８】
0006528765.tif 000019
【図１９】
0006528765.tif 000020
【図２０】
0006528765.tif 000021
【図２１】
0006528765.tif 000022
【図２２】
0006528765.tif 000023
【図２３】
0006528765.tif 000024
【図２４】
0006528765.tif 000025
【図２５】
0006528765.tif 000026
【図２６】
0006528765.tif 000027
【図２７】
0006528765.tif 000028
【図２８】
0006528765.tif 000029
【図２９】
0006528765.tif 000030
【図３０】
0006528765.tif 000031
【図３１】
0006528765.tif 000032
【図３２】
0006528765.tif 000033